(57)【要約】【課題】利用するユーザが簡単に利用でき、かつ、不正利用を防止する。【解決手段】端末装置は、ユーザが車両を所定の駐車場に駐車した際の利用料金を精算するための決済情報をサーバ装置に送信する決済情報送信部と、ユーザの端末装置または車両の現在位置の位置情報を検出する位置情報検出部と、位置情報に基づいて、ユーザが車両を駐車させた駐車場を特定し、特定した駐車場をユーザに確認する駐車場特定部と、特定された駐車場の利用終了を検出し、ユーザを識別するユーザ識別情報または駐車場を識別する駐車場識別情報とともに、駐車場の利用終了を示す利用終了通知をサーバ装置に送信する利用終了検出部とを備える。本技術は、例えば、自動車または自転車を駐車する駐車場を管理する駐車管理システム等に適用できる。【選択図】図８
2019191622.tif 000002
【特許請求の範囲】
【請求項１】
ユーザが車両を所定の駐車場に駐車した際の利用料金を精算するための決済情報をサーバ装置に送信する決済情報送信部と、
前記ユーザの端末装置または前記車両の現在位置の位置情報を検出する位置情報検出部と、
前記位置情報に基づいて、前記ユーザが前記車両を駐車させた前記駐車場を特定し、特定した前記駐車場を前記ユーザに確認する駐車場特定部と、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部と
を備える端末装置。
【請求項２】
前記ユーザの前記駐車場の利用開始を検出する利用開始検出部をさらに備え、
前記位置情報検出部は、前記駐車場の利用開始が検出された場合に、前記車両の現在位置の位置情報を検出し、
前記駐車場特定部は、前記位置情報に基づいて、前記ユーザが前記車両を駐車させた前記駐車場を特定し、特定した前記駐車場を前記ユーザに確認する
請求項１に記載の端末装置。
【請求項３】
前記位置情報検出部は、前記駐車場の利用終了が検出された場合に、前記車両の現在位置の位置情報を検出し、
前記駐車場特定部は、前記位置情報に基づいて、前記ユーザが前記車両を駐車させた駐車場を特定し、特定した前記駐車場を前記ユーザに確認する
請求項１に記載の端末装置。
【請求項４】
前記利用終了検出部は、前記位置情報に基づいて、前記ユーザの前記車両が前記駐車場を移動したと判定された場合に、前記ユーザの前記駐車場の利用終了を検出する
請求項１に記載の端末装置。
【請求項５】
前記駐車場特定部は、前記位置情報に基づいて、前記ユーザが前記車両を駐車させた前記駐車場と車室を特定する
請求項１に記載の端末装置。
【請求項６】
前記利用終了検出部は、前記ユーザの前記駐車場の利用終了が検出された場合に、前記駐車場において前記ユーザの前記車両の出庫を制限する出庫制限装置に、前記ユーザの前記車両の出庫制限を解除する解除指示を送信する
請求項１に記載の端末装置。
【請求項７】
前記位置情報検出部に代えて、前記ユーザが前記車両を駐車させた前記駐車場を識別する駐車場識別情報を検出する駐車場識別情報検出部をさらに備え、
前記駐車場特定部は、前記駐車場識別情報検出部により検出された前記駐車場識別情報に基づいて、前記ユーザが前記車両を駐車させた前記駐車場を特定し、特定した前記駐車場を前記ユーザに確認する
請求項１に記載の端末装置。
【請求項８】
駐車場の利用者であるユーザの前記駐車場の利用料金を精算するための決済情報を、前記ユーザの端末装置から受信する決済情報受信部と、
前記端末装置が検出した位置情報または駐車場識別情報に基づいて特定された前記駐車場に対する前記ユーザの利用終了を示す利用終了通知を、前記ユーザを識別するユーザ識別情報または前記駐車場を識別する前記駐車場識別情報とともに受信し、前記決済情報を用いて、前記ユーザの前記駐車場の利用料金を精算する決済処理を行う制御部と
を備えるサーバ装置。
【請求項９】
前記制御部は、前記駐車場の利用開始を通知する利用開始通知を、前記端末装置、または、前記駐車場において前記ユーザの車両の出庫を制限する出庫制限装置から受信し、前記利用開始通知を受信した時刻と、前記利用終了通知を受信した時刻に基づいて、前記決済処理を行う
請求項８に記載のサーバ装置。
【請求項１０】
前記制御部は、前記ユーザの前記端末装置から、前記駐車場からの出庫を通知する出庫通知を受信した場合に、前記駐車場において前記ユーザの車両の出庫を制限する出庫制限装置に、前記ユーザの前記車両の出庫制限を解除する解除指示をさらに送信する
請求項８に記載のサーバ装置。
【請求項１１】
前記ユーザの車両を識別する車両識別情報を、前記端末装置から受信する車両識別情報受信部と、
前記駐車場識別情報に対応付けて、前記駐車場に車両を駐車している前記ユーザの前記車両識別情報を記憶する利用情報記憶部と、
他の装置から取得した前記駐車場識別情報が示す前記駐車場に駐車している車両の前記車両識別情報を前記他の装置に通知する通知部と
をさらに備える
請求項８に記載のサーバ装置。
【請求項１２】
端末装置とサーバ装置とからなり、
前記端末装置は、
ユーザが車両を所定の駐車場に駐車した際の利用料金を精算するための決済情報を前記サーバ装置に送信する決済情報送信部と、
前記ユーザの前記端末装置または前記車両の現在位置の位置情報を検出する位置情報検出部と、
前記位置情報に基づいて、前記ユーザが前記車両を駐車させた前記駐車場を特定し、特定した前記駐車場を前記ユーザに確認する駐車場特定部と、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部と
を備え、
前記サーバ装置は、
前記決済情報を、前記ユーザの前記端末装置から受信する決済情報受信部と、
前記利用終了通知を、前記ユーザ識別情報または前記駐車場識別情報とともに受信し、前記決済情報を用いて、前記ユーザの前記駐車場の利用料金を精算する決済処理を行う制御部と
を備える
駐車管理システム。
【請求項１３】
端末装置とサーバ装置とからなる駐車管理システムの駐車管理方法であって、
前記端末装置が、ユーザが車両を所定の駐車場に駐車した際の利用料金を精算するための決済情報を前記サーバ装置に送信する決済情報送信ステップと、
前記ユーザの前記端末装置または前記車両の現在位置の位置情報を検出する位置情報検出ステップと、
前記位置情報に基づいて、前記ユーザが前記車両を駐車させた前記駐車場を特定し、特定した前記駐車場を前記ユーザに確認する駐車場特定ステップと、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出ステップと
を備え、
前記サーバ装置は、
前記決済情報を、前記ユーザの前記端末装置から受信する決済情報受信ステップと、
前記利用終了通知を、前記ユーザ識別情報または前記駐車場識別情報とともに受信し、前記決済情報を用いて、前記ユーザの前記駐車場の利用料金を精算する決済処理を行う制御ステップと
を備える
駐車管理方法。
【発明の詳細な説明】
【技術分野】
【０００１】
本技術は、端末装置、サーバ装置、駐車管理システム、および、駐車管理方法に関し、特に、利用するユーザが簡単に利用でき、かつ、不正利用を防止することができるようにした端末装置、サーバ装置、駐車管理システム、および、駐車管理方法に関する。
【背景技術】
【０００２】
都市部では、移動手段として自転車が使われることも多いが、指定された場所以外に自転車を駐輪する不正な駐輪や放置自転車が問題となっている。
【０００３】
例えば、放置自転車を管理するシステムとして、放置自転車を撤去、回収して、自転車の所有者に警告するためのシステムがある（例えば、特許文献１参照）。
【０００４】
都市部において駐輪場が不足している問題に対して、最近では、指定された場所に停められた自転車を共有して利用するシェアサイクルのシステムも展開されている。また、自宅の駐輪場や空きスペースを、利用登録したユーザに必要な時間だけ貸し出すシステムも提案されている（例えば、非特許文献１参照）。
【先行技術文献】
【特許文献】
【０００５】
【特許文献１】特開２００６−２０９３９１号公報
【非特許文献】
【０００６】
【非特許文献１】「みんちゅう」、インターネット＜URL:https://www.min-chu.jp/＞
【発明の概要】
【発明が解決しようとする課題】
【０００７】
自転車や自動車を駐車（駐輪）するスペースを貸し出すシステムでは、利用するユーザが簡単に利用でき、かつ、不正利用を防止できることが重要である。
【０００８】
本技術は、このような状況に鑑みてなされたものであり、利用するユーザが簡単に利用でき、かつ、不正利用を防止することができるようにするものである。
【課題を解決するための手段】
【０００９】
本技術の第１の側面の端末装置は、ユーザが車両を所定の駐車場に駐車した際の利用料金を精算するための決済情報をサーバ装置に送信する決済情報送信部と、前記ユーザの端末装置または前記車両の現在位置の位置情報を検出する位置情報検出部と、前記位置情報に基づいて、前記ユーザが前記車両を駐車させた前記駐車場を特定し、特定した前記駐車場を前記ユーザに確認する駐車場特定部と、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部とを備える。
【００１０】
本技術の第１の側面においては、ユーザが車両を所定の駐車場に駐車した際の利用料金を精算するための決済情報がサーバ装置に送信され、前記ユーザの端末装置または前記車両の現在位置の位置情報が検出され、前記位置情報に基づいて、前記ユーザが前記車両を駐車させた前記駐車場が特定され、特定された前記駐車場が前記ユーザに確認され、特定された前記駐車場の利用終了が検出され、前記ユーザを識別するユーザ識別情報または前記駐車場を識別する駐車場識別情報とともに、前記駐車場の利用終了を示す利用終了通知が前記サーバ装置に送信される。
【００１１】
本技術の第２の側面のサーバ装置は、駐車場の利用者であるユーザの前記駐車場の利用料金を精算するための決済情報を、前記ユーザの端末装置から受信する決済情報受信部と、前記端末装置が検出した位置情報または駐車場識別情報に基づいて特定された前記駐車場に対する前記ユーザの利用終了を示す利用終了通知を、前記ユーザを識別するユーザ識別情報または前記駐車場を識別する前記駐車場識別情報とともに受信し、前記決済情報を用いて、前記ユーザの前記駐車場の利用料金を精算する決済処理を行う制御部とを備える。
【００１２】
本技術の第２の側面においては、駐車場の利用者であるユーザの前記駐車場の利用料金を精算するための決済情報が、前記ユーザの端末装置から受信され、前記端末装置が検出した位置情報または駐車場識別情報に基づいて特定された前記駐車場に対する前記ユーザの利用終了を示す利用終了通知が、前記ユーザを識別するユーザ識別情報または前記駐車場を識別する前記駐車場識別情報とともに受信され、前記決済情報を用いて、前記ユーザの前記駐車場の利用料金を精算する決済処理が行われる。
【００１３】
本技術の第３の側面の駐車管理システムは、端末装置とサーバ装置とからなり、前記端末装置は、ユーザが車両を所定の駐車場に駐車した際の利用料金を精算するための決済情報を前記サーバ装置に送信する決済情報送信部と、前記ユーザの前記端末装置または前記車両の現在位置の位置情報を検出する位置情報検出部と、前記位置情報に基づいて、前記ユーザが前記車両を駐車させた前記駐車場を特定し、特定した前記駐車場を前記ユーザに確認する駐車場特定部と、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部とを備え、前記サーバ装置は、前記決済情報を、前記ユーザの前記端末装置から受信する決済情報受信部と、前記利用終了通知を、前記ユーザ識別情報または前記駐車場識別情報とともに受信し、前記決済情報を用いて、前記ユーザの前記駐車場の利用料金を精算する決済処理を行う制御部とを備える。
【００１４】
本技術の第３の側面の駐車管理方法は、端末装置とサーバ装置とからなる駐車管理システムの駐車管理方法であって、前記端末装置が、ユーザが車両を所定の駐車場に駐車した際の利用料金を精算するための決済情報を前記サーバ装置に送信する決済情報送信ステップと、前記ユーザの前記端末装置または前記車両の現在位置の位置情報を検出する位置情報検出ステップと、前記位置情報に基づいて、前記ユーザが前記車両を駐車させた前記駐車場を特定し、特定した前記駐車場を前記ユーザに確認する駐車場特定ステップと、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出ステップとを備え、前記サーバ装置は、前記決済情報を、前記ユーザの前記端末装置から受信する決済情報受信ステップと、前記利用終了通知を、前記ユーザ識別情報または前記駐車場識別情報とともに受信し、前記決済情報を用いて、前記ユーザの前記駐車場の利用料金を精算する決済処理を行う制御ステップとを備える。
【００１５】
本技術の第３の側面においては、端末装置とサーバ装置とからなる駐車管理システムの前記端末装置において、ユーザが車両を所定の駐車場に駐車した際の利用料金を精算するための決済情報が前記サーバ装置に送信され、前記ユーザの前記端末装置または前記車両の現在位置の位置情報が検出され、前記位置情報に基づいて、前記ユーザが前記車両を駐車させた前記駐車場が特定され、特定された前記駐車場が前記ユーザに確認され、特定された前記駐車場の利用終了が検出され、前記ユーザを識別するユーザ識別情報または前記駐車場を識別する駐車場識別情報とともに、前記駐車場の利用終了を示す利用終了通知が前記サーバ装置に送信される。また、前記サーバ装置において、前記決済情報が、前記ユーザの前記端末装置から受信され、前記利用終了通知が、前記ユーザ識別情報または前記駐車場識別情報とともに受信され、前記決済情報を用いて、前記ユーザの前記駐車場の利用料金を精算する決済処理が行われる。
【００１６】
端末装置およびサーバ装置は、独立した装置であっても良いし、１つの装置を構成している内部ブロックであっても良い。
【発明の効果】
【００１７】
本技術の第１乃至第３の側面によれば、利用するユーザが簡単に利用でき、かつ、不正利用を防止することができる。
【００１８】
なお、ここに記載された効果は必ずしも限定されるものではなく、本開示中に記載されたいずれかの効果であってもよい。
【図面の簡単な説明】
【００１９】
【図１】本技術を適用した駐車管理システムの第１実施の形態の構成例を示す図である。
【図２】図１の駐車管理システムの機能ブロック図である。
【図３】ユーザ登録処理および駐輪場登録処理を説明するフローチャートである。
【図４】空き情報照会処理、利用登録処理、および、利用情報検索処理を説明するフローチャートである。
【図５】本技術を適用した駐車管理システムの第２実施の形態の構成例を示す図である。
【図６】図５の駐車管理システムの機能ブロック図である。
【図７】第２実施の形態における利用登録処理を説明するフローチャートである。
【図８】本技術を適用した駐車管理システムの第３実施の形態の機能ブロック図である。
【図９】第３実施の形態の第１の利用登録処理を説明するフローチャートである。
【図１０】ロック装置を説明する図である。
【図１１】第３実施の形態の第２の利用登録処理を説明するフローチャートである。
【図１２】サーバ装置のハードウエアの構成例を示すブロック図である。
【図１３】端末装置のハードウエア構成例を示すブロック図である。
【発明を実施するための形態】
【００２０】
以下、本技術を実施するための形態（以下、実施の形態という）について説明する。なお、説明は以下の順序で行う。
１．駐車管理システムの第１実施の形態の構成例
２．駐車管理システムの機能ブロック図
３．ユーザ登録処理および駐輪場登録処理
４．空き情報照会処理、利用登録処理、および、利用情報検索処理
５．駐車管理システムの第２実施の形態の構成例
６．駐車管理システムの機能ブロック図
７．利用登録処理
８．駐車管理システムの第３実施の形態の構成例
９．利用登録処理
１０．サーバ装置のハードウエア構成例
１１．端末装置のハードウエア構成例
【００２１】
＜１．駐車管理システムの第１実施の形態の構成例＞
図１は、本技術を適用した駐車管理システムの第１実施の形態の構成例を示している。
【００２２】
図１の駐車管理システム１は、自宅の駐車場や空きスペースを、登録したユーザに必要な時間だけ貸し出す駐車場・駐輪場シェアリングサービス（以下、シェアリングサービスと称する。）のシステムであり、貸し出された場所を利用する正規のユーザが簡単に利用することができ、かつ、不正なユーザによる利用を防止するシステムである。
【００２３】
駐車管理システム１は、提供される場所（の広さ）によって、利用者である正規ユーザの車両が自動車である場合と自転車である場合のいずれにも適用することができるが、以下では、車両として、自転車を駐車（駐輪）する場合の例について説明する。
【００２４】
駐車管理システム１は、シェアリングサービスのシステム全体を管理するサーバ装置である管理サーバ１１、駐車場などの場所を提供するオーナが操作する端末装置１２、および、提供された場所を駐輪場として利用するユーザが操作する端末装置１３を含んで構成される。また、駐車管理システム１には、駐輪場所の提供者であるオーナと、利用者であるユーザ以外に、第三者もアクセスすることができ、第三者が操作する端末装置１４も駐車管理システム１の一部となり得る。
【００２５】
端末装置１２乃至１４は、所定のネットワークを介したネットワーク通信によって、管理サーバ１１と所定のデータをやりとりする。ネットワークは、そこに接続されている装置から送信される情報を伝送する伝送路であり、ネットワーク通信には、例えば、インターネット、電話回線網、衛星通信網などの公衆回線網や、Ｅｔｈｅｒｎｅｔ（登録商標）を含む各種のＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）などを介した通信が挙げられる。また、ネットワーク通信は、ＩＰ−ＶＰＮ（Ｉｎｔｅｒｎｅｔ Ｐｒｏｔｏｃｏｌ−Ｖｉｒｔｕａｌ Ｐｒｉｖａｔｅ Ｎｅｔｗｏｒｋ）などの専用回線網を介した通信でもよい。さらに、ネットワーク通信は、Bluetooth（登録商標）、Wi-Fi（商標）等を用いた無線通信網を介した通信でもよい。ネットワーク通信は、無線通信および有線通信は勿論、無線通信と有線通信とが混在した通信でもよい。
【００２６】
本実施の形態において、端末装置１２乃至１４は、スマートフォンであるとして説明するが、その他、パーソナルコンピュータ、タブレット端末、PDA (Personal Digital Assistant)、携帯型ゲーム機などでもよい。端末装置１２乃至１４は、管理サーバ１１と接続して所定の情報をやり取りし、取得した情報をディスプレイに表示したり、管理サーバ１１に送信するための情報を入力するユーザインターフェースなどを備える。
【００２７】
以下では、理解を容易にするため、オーナが操作する端末装置１２、ユーザが操作する端末装置１３、および、第三者が操作する端末装置１４を、それぞれ、オーナ端末１２、ユーザ端末１３、および、第三者端末１４と称して説明する。
【００２８】
シェアリングサービスの利用者であるユーザは、ユーザ端末１３を操作して管理サーバ１１にアクセスし、シェアリングサービスのユーザ登録を行った後、シェアリングサービスによって提供される複数の駐輪場所の空き情報を照会したり、駐輪を希望する場所および時間の予約（利用登録）を行うことができる。ユーザ登録には、駐輪料金の支払いに使用される決済情報や、自転車を固有に識別する識別情報として防犯登録番号の入力が必要とされる。決済情報は、例えば、クレジットカードの氏名、カード番号、有効期限などのクレジットカード情報である。また、決済情報は、例えば、現金と同様に駐輪料金の支払いに利用可能な電子マネー、ポイント、仮想通貨等に関する氏名、カード番号などの電子マネーカード情報でもよい。決済情報は、駐輪料金の支払いが可能となる情報であればよい。
【００２９】
また、駐車管理システム１が提供するシェアリングサービスでは、ユーザが駐輪場を利用する度に、ユーザに報酬としてポイントが付与され、ユーザはポイントを蓄積して、蓄えたポイントを現金や電子マネーに交換したり、蓄えたポイントでネット上から所望の商品（例えば、アプリなど）を購入したりすることができる。また、報酬として、ポイント以外の、電子マネーや仮想通貨等を付与してもよい。
【００３０】
駐輪場の提供者であるオーナは、オーナ端末１２を操作して管理サーバ１１にアクセスし、貸し出し可能な駐輪場を登録する。駐輪場の登録時には、単位時間（例えば、１日または１時間）当たりの利用料金や、利用に応じてユーザに付与するポイントを設定することができる。
【００３１】
また、オーナは、オーナ端末１２を操作して管理サーバ１１にアクセスし、シェアリングサービスが提供する各駐輪場（オーナ自身の駐輪場も含む）の利用情報を検索することができる。利用情報の検索では、指定された所定の駐輪場および時間に停められているはずの自転車（以下、利用登録の自転車という。）の防犯登録番号を表示させることができ、利用登録の自転車の防犯登録番号と、実際に停められている自転車（以下、駐輪済みの自転車という。）の防犯登録番号が一致しない場合には、不一致を示す照合結果を管理サーバ１１に通知することができる。
【００３２】
第三者は、第三者端末１４を操作して管理サーバ１１にアクセスし、駐輪場を登録する処理を除いて、オーナと同じ処理を行うことができる。すなわち、第三者は、シェアリングサービスが提供する各駐輪場の利用情報を検索して、利用登録の自転車の防犯登録番号を表示させ、利用登録の自転車の防犯登録番号と駐輪済みの自転車の防犯登録番号が一致しない場合には、不一致を示す照合結果を管理サーバ１１に通知することができる。
【００３３】
第三者とは、例えば、シェアリングサービスを運営する運営会社の社員や、駐輪場を巡回する監視員、駐輪場付近の住民、通行人などである。したがって、駐車管理システム１では、第三者が、駐輪場の不正な利用をしている不正ユーザを監視することができるように構成されている。
【００３４】
管理サーバ１１は、ユーザ端末１３との間で、ユーザ登録を行うユーザ登録処理、シェアリングサービスによって提供される複数の駐輪場所の空き情報を照会する空き情報照会処理、駐輪場所の利用登録を行う利用登録処理、ユーザの利用状況に応じてポイントを付与するポイント付与処理などを行う。また、管理サーバ１１は、登録されたクレジットカード情報や電子マネーカード情報から、ユーザの駐輪場の利用に応じた利用料金（駐車料金）を精算する決済処理も行う。
【００３５】
また、管理サーバ１１は、オーナ端末１２との間で、オーナが提供する駐輪場を登録する駐輪場登録処理、シェアリングサービスが提供する各駐輪場の利用情報を検索し、不正ユーザが発見されたときに通知する利用情報検索処理などを行う。
【００３６】
さらに、管理サーバ１１は、第三者端末１４との間で、シェアリングサービスが提供する各駐輪場の利用情報を検索し、不正ユーザが発見されたときに通知する利用情報検索処理などを行う。
【００３７】
＜２．駐車管理システムの機能ブロック図＞
図２は、図１の駐車管理システム１の機能ブロック図である。
【００３８】
管理サーバ１１は、システム管理部３１、ユーザDB３２、および利用DB３３を少なくとも備える。
【００３９】
システム管理部３１は、オーナ端末１２、ユーザ端末１３、および第三者端末１４それぞれから送信されてくる情報に応じた所定の処理を行い、システム全体を制御する。
【００４０】
例えば、システム管理部３１は、ユーザ端末１３との間で、ユーザ登録を行うユーザ登録処理を実行する。ユーザ登録処理では、システム管理部３１は、ユーザ端末１３から送信されてくるユーザの自転車の防犯登録番号と決済情報を取得すると、ユーザを固有に識別するユーザID(ユーザ識別情報)を発行し、ユーザIDに対応付けて防犯登録番号と決済情報をユーザDB３２に記憶（登録）させる。自転車の防犯登録番号は、自転車を固有に識別する自転車識別情報である。なお、ユーザの自転車の防犯登録番号を、ユーザIDとして利用してもよい。この場合、ユーザの防犯登録番号と決済情報が、ユーザごとにユーザDB３２に記憶される。
【００４１】
また、システム管理部３１は、ユーザ端末１３との間で、空き情報照会処理、駐輪場所の利用登録を行う利用登録処理、ユーザの利用状況に応じてポイントを付与するポイント付与処理なども実行する。システム管理部３１は、空き情報照会処理では、複数の駐輪場所の空き情報をユーザ端末１３に送信し、利用登録処理では、ユーザ端末１３から送信されてくる利用登録情報に基づいて、利用DB３３に、利用登録された駐輪場を識別する駐輪場ID(駐輪場識別情報)と日付および時間に対して、利用登録したユーザの防犯登録番号を対応付けて記憶（登録）させる。
【００４２】
さらに、システム管理部３１は、オーナ端末１２との間で、オーナが提供する駐輪場を登録する駐輪場登録処理を実行する。駐輪場登録処理では、システム管理部３１は、オーナ端末１２から送信されてくる、サービス提供可能な駐輪場に関する駐輪場情報を、利用DB３３に記憶（登録）させる。駐輪場情報には、例えば、駐輪場の場所（緯度経度の情報や住所情報）、駐輪可能な台数、時間帯および日にち（または曜日）、料金、付与ポイントなどの情報が含まれる。料金および付与ポイントは、１時間当たりや１日当たり、など、複数かつ任意の設定が可能である。
【００４３】
システム管理部３１は、オーナ端末１２との間で、シェアリングサービスが提供する各駐輪場の利用情報を検索可能とする利用情報検索処理を実行する。利用情報検索処理では、駐輪場を識別する駐輪場IDと日付および時間を指定すると、指定された日付および時間における、駐輪場IDで特定される駐輪場の利用状況、すなわち、利用登録の有り無し、および、利用登録された自転車の防犯登録番号が、オーナ端末１２のディスプレイに表示される。また、システム管理部３１は、第三者端末１４との間でも、利用情報検索処理を実行する。
【００４４】
ユーザDB３２は、ユーザIDに対応付けて、ユーザの防犯登録番号と決済情報を記憶するユーザ情報記憶部である。
【００４５】
利用DB３３は、駐輪場を識別する駐輪場IDと、日付および時間に応じて、ユーザの利用状況を記憶する利用情報記憶部である。ユーザの利用が登録された場合には、ユーザの防犯登録番号が、利用登録された駐輪場を識別する駐輪場IDの、利用登録された日付および時間に対応付けて、利用DB３３に記憶される。
【００４６】
オーナ端末１２は、駐輪場登録部４１、および、利用検索部４２を備える。
【００４７】
駐輪場登録部４１は、管理サーバ１１との間で、オーナが提供する駐輪場を登録する駐輪場登録処理を実行する。駐輪場登録処理では、駐輪場登録部４１は、オーナの操作入力に基づいて、貸出可能な駐輪場に関する駐輪場情報を取得し、システム管理部３１に送信する。駐輪場情報を入力する入力画面では、例えば、駐輪場の場所（緯度経度の情報や住所情報）、駐輪可能な台数、時間帯および日にち（または曜日）、料金、付与ポイントなどの情報が入力可能である。料金および付与ポイントは、１時間当たりや１日当たり、など、複数の入力方法が可能である。
【００４８】
利用検索部４２は、管理サーバ１１との間で、シェアリングサービスが提供する各駐輪場の利用情報を検索可能とする利用情報検索処理を実行する。利用情報検索処理において、利用検索部４２は、利用情報検索画面をディスプレイ上に表示し、駐輪場を識別する駐輪場IDと日付および時間をオーナに入力（指定）させる。そして、入力された日付および時間における、駐輪場IDで特定される駐輪場の利用状況、すなわち、利用登録の有り無し、および、利用登録された自転車の防犯登録番号が、ディスプレイに表示される。これにより、指定した駐輪場および時間帯における駐輪場の利用状況を確認することができる。なお、駐輪場を識別する駐輪場IDを直接入力するのではなく、画面に表示された地図上や駐輪場一覧リストから、利用情報を検索したい駐輪場を選択し、画面上で選択した駐輪場に対応する駐輪場IDが利用検索部４２内で決定されるようにしてもよい。
【００４９】
ユーザ端末１３は、ユーザ登録部５１、利用登録部５２、および、ポイント記憶部５３を備える。
【００５０】
ユーザ登録部５１は、管理サーバ１１との間で、ユーザ登録を行うユーザ登録処理を実行する。ユーザ登録処理では、ユーザ登録部５１は、ユーザ登録画面をディスプレイ上に表示し、ユーザの自転車の防犯登録番号と決済情報を入力させ、入力されたユーザの自転車の防犯登録番号と決済情報を、管理サーバ１１に送信する。そして、ユーザ登録部５１は、防犯登録番号と決済情報の送信に応じて、管理サーバ１１から返信されてくるユーザIDを受信し、内部メモリに記憶する。ユーザIDは、例えば、利用登録処理で使用される。
【００５１】
利用登録部５２は、管理サーバ１１との間で、空き情報照会処理、駐輪場所の利用登録を行う利用登録処理を実行する。例えば、空き情報照会処理では、利用登録部５２は、ユーザによって入力された、駐輪を希望する駐輪場の駐輪場IDを送信して、駐輪場IDを送信した駐輪場の空き情報を受信し、受信した空き情報を表示した空き情報表示画面を作成してディスプレイに表示する。そして、希望の駐輪場および時間帯に、空きがある場合には、そのまま、空き情報表示画面から、利用登録を行うことができる。利用登録を行う場合には、ユーザID、駐輪場ID、および、利用時間情報（日付を含む）が、利用登録部５２から、管理サーバ１１に送信される。利用登録または実際の駐輪場の利用が終了したタイミングにおいて、管理サーバ１１からユーザ端末１３へ、ポイントが供給される。利用登録部５２は、管理サーバ１１から取得したポイントをポイント記憶部５３に記憶させる。なお、駐輪を希望する駐輪場の駐輪場IDを直接入力するのではなく、画面に表示された地図上や駐輪場一覧リストから、駐輪を希望する駐輪場を選択し、画面上で選択した駐輪場に対応する駐輪場IDが利用登録部５２内で決定されるようにしてもよい。
【００５２】
第三者端末１４は、利用検索部６１を備える。利用検索部６１は、オーナ端末１２の利用検索部４２と同じ利用情報検索処理を実行する。
【００５３】
オーナ端末１２、ユーザ端末１３、および第三者端末１４のそれぞれは、端末内にインストールされたブラウザやアプリ（アプリケーションプログラム）から、システム管理部３１の所定のアクセス先に接続することで、上述した各種の処理を実行することができる。
【００５４】
＜３．ユーザ登録処理および駐輪場登録処理＞
次に、図３のフローチャートを参照して、ユーザ登録処理および駐輪場登録処理について説明する。
【００５５】
（ユーザ登録処理）
初めに、ユーザ端末１３と管理サーバ１１との間で実行される、ユーザ登録処理について説明する。
【００５６】
ユーザ登録処理では、ステップＳ１１において、ユーザ端末１３のユーザ登録部５１は、ユーザ登録画面をディスプレイ上に表示し、ユーザの自転車の防犯登録番号と決済情報を入力させる。そして、ユーザ登録部５１は、入力されたユーザの自転車の防犯登録番号と決済情報を、利用者登録通知とともに、管理サーバ１１に送信する。
【００５７】
ステップＳ１２において、管理サーバ１１のシステム管理部３１は、利用者登録通知、ユーザの自転車の防犯登録番号、および、決済情報を受信し、新たにユーザIDを発行して、受信した防犯登録番号と決済情報をユーザIDに紐付けて、ユーザDB３２に記憶させる。そして、システム管理部３１は、利用者登録通知に対する返信として、新規に作成したユーザIDをユーザ端末１３に送信する。ユーザIDは、ユーザ端末１３の内部メモリに記憶される。
【００５８】
以上で、ユーザ登録処理が終了する。
【００５９】
（駐輪場登録処理）
次に、オーナ端末１２と管理サーバ１１との間で実行される、駐輪場登録処理について説明する。
【００６０】
駐輪場登録処理では、ステップＳ２１において、オーナ端末１２の駐輪場登録部４１は、オーナの操作入力に基づいて、貸出可能な駐輪場に関する駐輪場情報を取得し、管理サーバ１１に送信する。駐輪場情報を入力する入力画面では、例えば、駐輪場の場所（緯度経度の情報や住所情報）、駐輪可能な台数、時間帯および日付、料金、付与ポイントなどの情報が入力可能である。料金および付与ポイントは、１時間当たりや１日当たり、など、複数の入力方法が可能である。
【００６１】
ステップＳ２２において、管理サーバ１１のシステム管理部３１は、オーナ端末１２からの駐輪場情報を受信し、駐輪場IDを生成して、利用DB３３に、サービス提供可能な駐輪場として記憶（登録）させる。また、システム管理部３１は、生成した駐輪場IDを、オーナ端末１２に送信する。したがって、初回の駐輪場登録処理では、駐輪場IDは未定であるのでオーナ端末１２から送信されず、２回目以降、料金やポイントを変更する場合に、オーナ端末１２からの駐輪場IDに基づいて、変更対象の駐輪場を指定して、料金やポイントを再設定することができる。
【００６２】
以上で、駐輪場登録処理が終了する。
【００６３】
図３では、説明の便宜上、上述したユーザ登録処理と駐輪場登録処理が連続する処理のように示されているが、ユーザ登録処理と駐輪場登録処理は、独立して実行される。
【００６４】
＜４．空き情報照会処理、利用登録処理、および、利用情報検索処理＞
次に、図４のフローチャートを参照して、空き情報照会処理、利用登録処理、および、利用情報検索処理について説明する。
【００６５】
初めに、ユーザ端末１３と管理サーバ１１との間で実行される、空き情報照会処理と利用登録処理について説明する。
【００６６】
（空き情報照会処理）
空き情報照会処理では、ユーザが駐輪を希望する駐輪場をディスプレイ上で指定すると、ステップＳ４１において、ユーザ端末１３の利用登録部５２が、指定された駐輪場の駐輪場IDを、空き情報照会通知とともに、管理サーバ１１に送信する。ユーザが駐輪を希望する駐輪場の指定は、駐輪場名や駐輪場IDを直接入力してもよいし、ユーザ端末１３内のGPS受信機等から取得した現在位置情報に基づいて、近隣の駐輪場を複数提示し、ユーザに指定させてもよい。１回の操作で、複数の駐輪場を指定することもできる。
【００６７】
ステップＳ４２において、管理サーバ１１のシステム管理部３１は、ユーザ端末１３から指定された駐輪場の空き情報を利用DB３３から取得し、ユーザ端末１３に送信する。
【００６８】
ステップＳ４３において、ユーザ端末１３の利用登録部５２は、駐輪場の空き情報を受信し、ディスプレイに表示する。
【００６９】
（利用登録処理）
次に、ユーザが、ディスプレイに表示された空きのある駐輪場のなかから、所定の時間帯で所定の駐輪場を指定する操作を行うと、利用登録処理として、ステップＳ４４において、利用登録部５２は、利用申請通知を、利用登録情報とともに、管理サーバ１１に送信する。利用登録情報には、ユーザID、駐輪場ID、および、利用時間情報（日付を含む）が含まれる。
【００７０】
ステップＳ４５において、管理サーバ１１のシステム管理部３１は、ユーザ端末１３から送信されてきた利用登録情報に基づいて、利用DB３３に利用登録を行う。すなわち、システム管理部３１は、利用申請された駐輪場を識別する駐輪場IDと、日付および時間に、ユーザの防犯登録番号を対応付けて、利用DB３３に記憶させる。ユーザの防犯登録番号は、利用登録情報に含まれるユーザIDに基づいて、ユーザDB３２から取得される。
【００７１】
ステップＳ４６において、システム管理部３１は、登録されたクレジットカード情報や電子マネーカード情報に基づいて、利用申請された駐輪場の利用料金を徴収する決済処理を行う。
【００７２】
ステップＳ４７において、管理サーバ１１のシステム管理部３１は、利用登録および料金の精算が完了したことを示す利用登録完了通知を、利用登録に応じて付与したポイントとともにユーザ端末１３に送信する。ユーザ端末１３の利用登録部５２は、管理サーバ１１から供給されたポイントをポイント記憶部５３に記憶させる。
【００７３】
以上の処理は、空き情報照会処理で空き情報を事前に確認した上で、利用を登録する利用登録処理を実行したが、例えば、ユーザが駐輪を希望する現場の駐輪場に直行し、その場で利用登録処理を行って、駐輪してもよい。この場合、空き情報照会処理は不要となり、ユーザが現場の駐輪場で自転車を駐輪する直前または直後に、利用登録処理のみが行われる。
【００７４】
（利用情報検索処理）
次に、第三者端末１４と管理サーバ１１との間で実行される、利用情報検索処理について説明する。この処理では、第三者が、駐輪場を巡回する監視員であるとして説明する。
【００７５】
初めに、ステップＳ５１において、第三者端末１４の利用検索部６１は、利用情報検索画面をディスプレイ上に表示し、駐輪場を識別する駐輪場IDと日付および時間を監視員に入力（指定）させる。そして、利用検索部６１は、入力された駐輪場IDと日付および時間を、利用検索通知とともに、管理サーバ１１に送信する。日付および時間は、デフォルトで現在の日時が入力されるようにすることができる。また、一定の幅（帯）をもって日付および時間が指定された場合には、指定された期間全体の利用状況を検索することもできる。
【００７６】
ステップＳ５２において、管理サーバ１１のシステム管理部３１は、第三者端末１４から指定された駐輪場および日時の利用状況を利用DB３３から検索し、検索結果を第三者端末１４に送信する。利用登録がされていた場合には、検索結果として、利用登録された自転車の防犯登録番号が、第三者端末１４に供給される。
【００７７】
ステップＳ５３において、第三者端末１４の利用検索部６１は、管理サーバ１１からの検索結果を利用情報検索画面としてディスプレイに表示する。利用登録がされていた場合には、利用検索部６１は、検索結果として、利用登録された自転車の防犯登録番号を、利用情報検索画面に表示する。
【００７８】
監視員は、利用情報検索画面に表示された利用登録の自転車の防犯登録番号と、駐輪済みの自転車の防犯登録番号を目視で照合し、“一致”または“不一致”のいずれかを照合結果として入力する。ステップＳ５４において、第三者端末１４の利用検索部６１は、入力された照合結果を取得する。
【００７９】
ステップＳ５５において、第三者端末１４の利用検索部６１は、取得した照合結果を、管理サーバ１１に送信する。
【００８０】
なお、防犯登録番号の照合は、例えば、第三者端末１４のカメラで駐輪済みの自転車の防犯登録番号を撮像し、画像認識によって駐輪済みの自転車の防犯登録番号を認識して、利用登録の自転車の防犯登録番号と比較してもよい。この場合、監視員の判断によらず、第三者端末１４による自動判断が可能である。
【００８１】
ステップＳ５６において、管理サーバ１１のシステム管理部３１は、第三者端末１４から送信されてきた照合結果を受信し、照合結果が“一致”であるかを判定する。
【００８２】
ステップＳ５６で、照合結果が“一致”であると判定された場合、利用情報検索処理は終了する。
【００８３】
一方、ステップＳ５６で、照合結果が“不一致”であると判定された場合、処理はステップＳ５７に進み、管理サーバ１１のシステム管理部３１は、不正な駐輪があることを通知する不正駐輪通知を、オーナ端末１２に送信する。
【００８４】
ステップＳ５８において、オーナ端末１２の利用検索部４２は、管理サーバ１１からの不正駐輪通知を受信し、ディスプレイに表示する。これにより、オーナは、不正駐輪の存在を知ることができる。
【００８５】
なお、上述した例では、利用登録の自転車の防犯登録番号と、駐輪済みの自転車の防犯登録番号との照合は、第三者端末１４側で行うようにしたが、管理サーバ１１が行うようにしてもよい。例えば、第三者端末１４において、第三者が、駐輪場IDと、その駐輪場に駐輪されている自転車の防犯登録番号を管理サーバ１１に送信し、管理サーバ１１が両者の照合を行い、照合結果を第三者端末１４に送信するとともに、“不一致”である場合に、不正駐輪通知を、オーナ端末１２に送信することができる。
【００８６】
図４では、説明の便宜上、空き情報照会処理および利用登録処理と、利用情報検索処理とが連続する処理のように示されているが、空き情報照会処理および利用登録処理と、利用情報検索処理とは、独立して実行される。
【００８７】
また、上述した例では、第三者としての監視員が利用情報検索処理を実行する例について説明したが、オーナも同様に、オーナ端末１２を用いて、利用情報検索処理を実行することができる。これにより、第三者およびオーナによる不正駐輪の監視機能が働き、ユーザの不正な利用を抑止することができる。また、オーナは、随時、自分の駐輪場の利用状況を確認することができる。
【００８８】
＜５．駐車管理システムの第２実施の形態の構成例＞
図５は、本技術を適用した駐車管理システムの第２実施の形態の構成例を示している。
【００８９】
図５においては、上述した第１実施の形態と対応する部分については同一の符号を付してあり、その部分の説明は省略する。
【００９０】
図５に示される第２実施の形態では、オーナが貸し出す駐輪場に、その駐輪場の駐輪場IDの情報が埋め込まれた２次元コード７１が配置されている。２次元コード７１は、いわゆるQRコード（QR（Quick Response）（登録商標）コード）と呼ばれるものである。
【００９１】
なお、２次元コード７１の代わりに、バーコードや、駐輪場IDに対応する英数字文字列などでもよく、ユーザが携帯するユーザ端末１３に内蔵されたカメラ等の光学読取手段で、駐輪場IDを示す情報が読取可能な形態であればよい。
【００９２】
駐輪場IDを示す情報をユーザが取得可能に提示する手段として、２次元コード７１や、バーコード、英数字文字列は、それらを紙媒体に印刷するだけでよいので、オーナにとってコストを掛けずに準備することができ、好適である。
【００９３】
しかしながら、駐輪場IDを示す情報を提示する手段としては、その他の方法でもよく、例えば、RFID（Radio Frequency ID）やBluetooth（登録商標）、赤外線通信等の近距離無線通信機能を備えた端末装置を駐輪場に配置し、端末装置とユーザ端末１３が近距離無線通信を行うことにより、ユーザ端末１３が、駐輪場IDを示す情報を取得する方法を採用してもよい。
【００９４】
＜６．駐車管理システムの機能ブロック図＞
図６は、図５の駐車管理システム１の機能ブロック図である。
【００９５】
図６においても、第１実施の形態の図２と対応する部分については同一の符号を付してあり、その部分の説明は省略する。
【００９６】
第２実施の形態においては、オーナ端末１２、ユーザ端末１３、および第三者端末１４それぞれが、２次元コード７１を読み取るための２次元コード読取部（駐車場識別情報検出部）をさらに備える点が、第１実施の形態と異なり、その他の構成は同様である。
【００９７】
オーナ端末１２は、２次元コード読取部４３をさらに備える。ユーザ端末１３は、２次元コード読取部５４をさらに備える。第三者端末１４は、２次元コード読取部６２をさらに備える。
【００９８】
オーナ端末１２の２次元コード読取部４３は、オーナの読取指示操作に応じて、２次元コード７１を読み取り、取得した情報を利用検索部４２に供給する。２次元コード読取部４３は、利用検索部４２の一機能として含まれてもよい。
【００９９】
ユーザ端末１３の２次元コード読取部５４は、ユーザの読取指示操作に応じて、２次元コード７１を読み取り、取得した情報を利用登録部５２に供給する。２次元コード読取部５４は、利用登録部５２の一機能として含まれてもよい。
【０１００】
第三者端末１４の２次元コード読取部６２は、第三者の読取指示操作に応じて、２次元コード７１を読み取り、取得した情報を利用検索部６１に供給する。２次元コード読取部５４は、利用検索部６１の一機能として含まれてもよい。
【０１０１】
２次元コード７１の代わりに、近距離無線通信機能を備えた端末装置が駐輪場に配置されている場合には、オーナ端末１２、ユーザ端末１３、および第三者端末１４それぞれは、２次元コード読取部に代えて、近距離無線通信部を備える。２次元コード読取部および近距離無線通信部の機能は、スマートフォンやタブレット端末等においては、予め備えているか、または、アプリをインストールすることで簡単に実現することができる。
【０１０２】
＜７．利用登録処理＞
次に、図７のフローチャートを参照して、第２実施の形態における利用登録処理について説明する。
【０１０３】
ユーザは、駐輪を希望する駐輪場に到着すると、その駐輪場に配置された２次元コード７１をユーザ端末１３で読み取る操作を行う。ユーザ端末１３の２次元コード読取部５４は、ステップＳ１０１において、ユーザの読取操作に応じて、２次元コード７１を読み取り、そこに含まれる駐輪場IDを利用登録部５２に供給する。
【０１０４】
なお、２次元コード７１を読み取る代わりに、ユーザが駐輪場IDを手入力してもよい。また、上述したように、近距離無線通信機能を備えた端末装置を駐輪場に配置し、ユーザ端末１３が、端末装置と近距離無線通信を行うことにより、駐輪場IDを取得してもよい。
【０１０５】
ステップＳ１０２において、ユーザ端末１３の利用登録部５２は、２次元コード読取部５４から供給された駐輪場IDを取得すると、ユーザIDおよび駐輪場IDとともに、駐輪場の利用開始を通知する利用開始通知を、管理サーバ１１に送信する。
【０１０６】
ステップＳ１０３において、管理サーバ１１のシステム管理部３１は、ユーザ端末１３からの利用開始通知を受信し、利用DB３３内の、受信した駐輪場IDの領域に、利用開始時刻と、ユーザIDおよび防犯登録番号を記憶させる。ユーザIDに対応する防犯登録番号は、ユーザDB３２に記憶されている。
【０１０７】
そして、ステップＳ１０４において、システム管理部３１は、オーナ端末１３に利用開始通知のメッセージを送信する。オーナ端末１３への利用開始通知のメッセージは、アプリ上の通知でもよいし、電子メール等でもよい。これにより、オーナは、駐輪場の利用が開始されたことを認識することができる。
【０１０８】
ステップＳ１０５において、システム管理部３１は、利用開始通知を受信した旨の利用開始受信通知を、ユーザ端末１３に返信する。これにより、ユーザは、駐輪場の利用開始通知が受理されたことを認識することができる。ステップＳ１０４とステップＳ１０５の処理は、順番が逆でもよいし、同時でもよい。
【０１０９】
そして、ユーザが駐輪の利用を終了する場合、ユーザが、ユーザ端末１３において利用を終了する操作を行うと、ステップＳ１０６において、ユーザ端末１３の利用登録部５２は、利用を終了する操作を受け付け、ステップＳ１０７において、ユーザIDおよび駐輪場IDとともに、駐輪場の利用終了を通知する利用終了通知を、管理サーバ１１に送信する。
【０１１０】
なお、ユーザが、ユーザ端末１３で利用を終了する操作を行う代わりに、２次元コード７１をユーザ端末１３に読み取らせ、２次元コード７１に基づく駐輪場IDを取得した利用登録部５２が、駐輪場IDが示す駐輪場にユーザが駐輪中（ステップＳ１０２の利用開始手続が行われた後の状態）であることを認識して、利用を終了するか否かを確認する画面をディスプレイに表示し、ユーザ操作に基づいて、ステップＳ１０７の利用終了通知を送信する処理を行ってもよい。
【０１１１】
ステップＳ１０８において、管理サーバ１１のシステム管理部３１は、ユーザ端末１３からの利用終了通知を受信し、利用DB３３内の、受信した駐輪場IDのユーザIDおよび防犯登録番号が記憶された領域に、利用開始時刻と対応させて利用終了時刻を記憶させる。あるいはまた、利用終了通知を受信したユーザについては、利用DB３３内の、受信した駐輪場IDのユーザID、防犯登録番号、利用開始時刻の情報を削除してもよい。
【０１１２】
次に、ステップＳ１０９において、システム管理部３１は、ユーザDB３２に登録されたクレジットカード情報や電子マネーカード情報に基づいて、利用時間に応じた駐輪場の利用料金を精算する決済処理を行う。上述した第１実施の形態では、利用申請したときに駐車料金を支払う事前精算であったが、第２実施の形態は、利用終了後に駐車料金を支払う事後精算の例である。
【０１１３】
そして、ステップＳ１１０において、システム管理部３１は、オーナ端末１３に利用終了通知のメッセージを送信する。オーナ端末１３への利用終了通知は、例えば、アプリ上の通知やメール等で送信される。これにより、オーナは、駐輪場の利用が終了したことを認識することができる。
【０１１４】
ステップＳ１１１において、システム管理部３１は、利用終了通知を受信した旨の利用終了受信通知を、ユーザ端末１３に返信する。これにより、ユーザは、駐輪場の利用終了通知が受理されたことを認識することができる。なお、ステップＳ１１０とステップＳ１１１の処理は、順番が逆でもよいし、同時でもよい。
【０１１５】
また、ステップＳ１１１の利用終了受信通知の返信では、システム管理部３１は、利用実績に応じたポイントをユーザ端末１３に送信する。これにより、ユーザは、駐輪場の使用や使用した時間等に応じて報酬としてのポイントを獲得することができる。ここで獲得できるポイントは、図３のステップＳ２１における駐車場情報の一部として設定された値に基づく。オーナは、休日や平日、時間帯等に応じて異なるポイントを設定することができ、ユーザの利用を促進することが可能となる。ユーザは、ポイントの高い駐輪場を使用することで多くのポイントを獲得することができる。
【０１１６】
以上の例は、ユーザが、予約（利用申請）なしに、駐輪を希望する駐輪場に移動して、駐輪場を利用する場合の例であるが、予め予約して利用することも勿論可能である。その場合には、図４のステップＳ４１乃至Ｓ４３の空き情報照会処理や、ステップＳ４４乃至４７の利用登録処理が実行される。ただし、利用の予約としてステップＳ４４乃至４７の利用登録処理が実行される場合には、ステップＳ４７におけるポイント付与は省略される。
【０１１７】
また、第２実施の形態においても同様に、図４で説明した利用情報検索処理が実行可能である。これにより、第三者としての監視員、通行人、運営会社の社員等による不正駐輪の監視機能が働き、ユーザの不正な利用を抑止することができる。
【０１１８】
上述した例では、ユーザ端末１３が、２次元コード７１や近距離無線通信を用いて、駐輪場IDを取得し、利用開始通知を管理サーバ１１に送信する方法について説明したが、駐輪場に配置された端末装置が、利用開始通知を管理サーバ１１に送信してもよい。
【０１１９】
例えば、ユーザ端末１３が、ユーザIDを示す情報が埋め込まれた２次元コード等をユーザ端末１３のディスプレイに表示して、駐輪場に配置された端末装置が、ユーザ端末１３に表示されたユーザIDを取得する。あるいは、近距離無線通信を用いて、ユーザ端末１３から駐輪場の端末装置に、ユーザIDを示す情報が送信される。そして、駐輪場の端末装置が、取得したユーザIDと自身の駐輪場IDを、利用開始通知とともに、管理サーバ１１に送信する。利用終了通知についても同様に、駐輪場に配置された端末装置から、管理サーバ１１に送信させるようにすることができる。この場合、管理サーバ１１のシステム管理部３１は、ユーザ端末１３からの利用終了通知を受信したタイミングで、ユーザ端末１３に利用実績に応じたポイントを送信すればよい。
【０１２０】
＜８．駐車管理システムの第３実施の形態の構成例＞
次に、本技術を適用した駐車管理システムの第３実施の形態について説明する。
【０１２１】
上述した第１および第２実施の形態では、利用を開始する場合に、ユーザが、利用する駐輪場を指定する操作を行ったり、２次元コード７１を読み取る操作を行うなどすることで、利用を開始する通知が、ユーザ端末１３から管理サーバ１１へ送信された。
【０１２２】
これに対して、第３実施の形態では、ユーザが特段の操作をすることなく、ユーザ端末１３内のGPS受信機等から取得した端末位置情報に基づいて、駐輪場の利用を検出（自動検出）する方法が採用される。
【０１２３】
図８は、第３実施の形態に係る駐車管理システム１の機能ブロック図である。
【０１２４】
図８においては、上述した第１実施の形態と対応する部分については同一の符号を付してあり、その部分の説明は適宜省略する。
【０１２５】
第３実施の形態では、ユーザ端末１３が、ユーザ登録部５１、利用登録部５２、および、ポイント記憶部５３に加えて、位置情報検出部５５をさらに備える。
【０１２６】
位置情報検出部５５は、例えば、GPS (Global Positioning System)等の測位衛星が放送する測位信号を受信して測位を行うGNSS（Global Navigation Satellite System）受信機を含み、ユーザ端末１３の現在位置の位置情報を高精度に検出して、利用登録部５２に供給する。一般に、GPS受信機等から検出できる位置情報は、数ｍないし数十ｍの誤差をもつことが知られているが、近年では、例えば、準天頂衛星みちびき（QZSS）のセンチメートル級測位補強情報であるL6信号によるRTK-PPP(Real Time Kinematic - Precise Point Positioning)等を用いれば、センチメートル級の高精細な位置情報を取得することができる。位置情報検出部５５は、センチメートルオーダでユーザ端末１３の位置情報を検出する。これにより、ユーザが自転車を停めた駐輪場の正確な位置や、駐車場に自動車を駐車した際の車室までをも特定することができる。なお、高精度な位置情報を検出する方法は、RTK-PPPに限定されず、その他の方法でもよい。また、位置情報検出部５５は、ユーザ端末１３の端末内に設けられている、加速度センサ等の慣性センサで構成され、慣性センサの検出情報に基づいて、ユーザ端末１３の現在位置の位置情報を高精度に検出してもよい。さらには、位置情報検出部５５は、GNSS受信機と慣性センサの両方を用いるものでもよい。
【０１２７】
利用登録部５２は、位置情報検出部５５により検出されたユーザ端末１３の位置情報に基づいて、登録された駐輪場に、ユーザが自転車を駐輪したか否かを判定する。そして、登録された駐輪場に自転車を駐輪したと判定された場合、利用登録部５２は、利用登録処理を開始する。また、利用登録部５２は、第１および第２実施の形態と同様の空き情報照会処理、管理サーバ１１から取得したポイントをポイント記憶部５３に記憶させるポイント処理も行う。
【０１２８】
＜９．利用登録処理＞
次に、図９のフローチャートを参照して、第３実施の形態における第１の利用登録処理について説明する。
【０１２９】
ユーザは、駐輪を希望する駐輪場に移動し、自転車を駐輪させる。ステップＳ１４１において、ユーザ端末１３の位置情報検出部５５は、現在の位置情報を取得して、利用登録部５２に供給する。
【０１３０】
ステップＳ１４２において、ユーザ端末１３の利用登録部５２は、位置情報検出部５５から供給された位置情報を取得し、ユーザがシェアリングサービスに登録されている所定の駐輪場に自転車を駐輪させたかを判定する。利用登録部５２は、シェアリングサービス（管理サーバ１１の利用DB３２）に登録されている駐輪場の位置を予め取得して記憶しており、位置情報検出部５５から供給されたユーザの現在位置と、記憶している駐輪場の位置を比較し、ユーザの現在位置が駐輪場の位置の所定の範囲内である場合に、シェアリングサービスに登録されている所定の駐輪場にユーザが自転車を駐輪させたと判定する。なお、ユーザ端末１３内に駐輪場の位置を記憶せずに、管理サーバ１１に問い合わせることにより、ユーザが登録された駐輪場に自転車を駐輪させたか否かを判定してもよい。ユーザが登録された駐輪場に自転車を駐輪させたか否かを判定するに当たり、通りすがりによる誤判定を防止するため、ユーザ（ユーザ端末１３）の位置が、一定時間以上、登録済みの駐輪場の所定の範囲内に存在する場合に、ユーザが登録された駐輪場に自転車を駐輪させたと判定することができる。
【０１３１】
ステップＳ１４２で、ユーザが所定の駐輪場に自転車を駐輪させていないと判定された場合、処理はステップＳ１４１に戻り、ステップＳ１４１およびＳ１４２の処理が繰り返される。すなわち、ユーザが所定の駐輪場に自転車を駐輪させたと判定されるまで、ユーザが所定の駐輪場に自転車を駐輪させたか否かが継続的に検出される。
【０１３２】
ステップＳ１４２で、ユーザが所定の駐輪場に自転車を駐輪させたと判定された場合、処理はステップＳ１４３に進み、利用登録部５２は、ユーザIDおよび駐輪場IDとともに、駐輪場の利用開始を通知する利用開始通知を、管理サーバ１１に送信する。駐輪場IDは、駐輪場の位置情報とともにユーザ端末１３内に記憶されているか、管理サーバ１１から取得される。
【０１３３】
ステップＳ１４４において、管理サーバ１１のシステム管理部３１は、ユーザ端末１３からの利用開始通知を受信し、利用DB３３内の、受信した駐輪場IDの領域に、利用開始時刻と、ユーザIDおよび防犯登録番号を記憶させる。ユーザIDに対応する防犯登録番号は、ユーザDB３２に記憶されている。
【０１３４】
そして、ステップＳ１４５において、システム管理部３１は、オーナ端末１３に利用開始通知のメッセージを送信する。オーナ端末１３への利用開始通知のメッセージは、アプリ上の通知でもよいし、電子メール等でもよい。これにより、オーナは、駐輪場の利用が開始されたことを認識することができる。
【０１３５】
ステップＳ１４６において、システム管理部３１は、利用開始通知を受信した旨の利用開始受信通知を、ユーザ端末１３に返信する。ステップＳ１４５とステップＳ１４６の処理は、順番が逆でもよいし、同時でもよい。
【０１３６】
ステップＳ１４７において、ユーザ端末１３は、管理サーバ１１から送信されてきた駐輪場の利用開始受信通知を受信し、ユーザに駐輪場の利用開始を通知する。例えば、「駐輪場の利用を開始しました。」等のメッセージが、ユーザ端末１３のディスプレイに表示されたり、メール通知される。ユーザは、駐輪場の利用開始処理が行われたことを認識することができる。
【０１３７】
ユーザは、駐輪場に自転車を駐輪させた後、駐輪場を離れる。そして、ユーザは、所定の用事を済ませた後、駐輪場へ停めた自転車を出庫させるために、駐輪場へ再び戻る。
【０１３８】
ステップＳ１４８において、ユーザ端末１３の位置情報検出部５５は、現在の位置情報を取得して、利用登録部５２に供給する。
【０１３９】
ステップＳ１４９において、ユーザ端末１３の利用登録部５２は、位置情報検出部５５から供給された位置情報を取得し、ユーザが自転車を駐輪場から出庫させたかを判定する。例えば、利用登録部５２は、位置情報検出部５５から供給された現在の位置情報に基づいて、ユーザが、駐輪後に駐輪場から離れた後、再び、駐輪場内に入り、一定時間経過後に、駐輪場から離れる位置情報が検出された場合、ユーザが自転車を駐輪場から出庫させたと判定する。
【０１４０】
ステップＳ１４９で、ユーザが自転車を駐輪場から出庫させていないと判定された場合、処理はステップＳ１４８に戻り、ステップＳ１４８およびＳ１４９の処理が繰り返される。すなわち、ステップＳ１４７の処理後、ユーザが自転車を駐輪場から出庫させたと判定されるまで、ユーザが自転車を駐輪場から出庫させたか否かが継続的に検出される。
【０１４１】
ステップＳ１４９で、ユーザが自転車を駐輪場から出庫させたと判定された場合、処理はステップＳ１５０に進み、利用登録部５２は、ユーザIDとともに、駐輪場の利用終了を通知する利用終了通知を、管理サーバ１１に送信する。
【０１４２】
なお、利用登録部５２は、上述したように位置情報のみに基づいて出庫したか否かを判定するのではなく、第２実施の形態と同様に、ユーザ端末１３の画面上で利用を終了する操作をユーザに行わせ、終了操作が検出された場合に、利用終了通知を管理サーバ１１に送信するようにしてもよい。
【０１４３】
ステップＳ１５１において、管理サーバ１１のシステム管理部３１は、ユーザ端末１３からの利用終了通知を受信し、利用DB３３内の、受信した駐輪場IDのユーザIDおよび防犯登録番号が記憶された領域に、利用開始時刻と対応させて利用終了時刻を記憶させる。あるいはまた、利用終了通知を受信したユーザについては、利用DB３３内の、受信した駐輪場IDのユーザID、防犯登録番号、利用開始時刻の情報を削除してもよい。
【０１４４】
次に、ステップＳ１５２において、システム管理部３１は、登録されたクレジットカード情報や電子マネーカード情報に基づいて、利用時間に応じた駐輪場の利用料金を精算する決済処理を行う。
【０１４５】
そして、ステップＳ１５３において、システム管理部３１は、オーナ端末１３に利用終了通知のメッセージを送信する。オーナ端末１３への利用終了通知は、例えば、アプリ上の通知やメール等で送信される。これにより、オーナは、駐輪場の利用が終了したことを認識することができる。
【０１４６】
ステップＳ１５４において、システム管理部３１は、利用終了通知を受信した旨の利用終了受信通知を、ユーザ端末１３に返信する。なお、ステップＳ１５３とステップＳ１５４の処理は、順番が逆でもよいし、同時でもよい。
【０１４７】
また、ステップＳ１５４の利用終了受信通知の返信では、システム管理部３１は、利用実績に応じたポイントをユーザ端末１３に送信する。これにより、ユーザは、駐輪場の使用や使用した時間等に応じて報酬としてのポイントを獲得することができる。ここで獲得できるポイントは、図３のステップＳ２１における駐車場情報の一部として設定された値に基づく。オーナは、休日や平日、時間帯等に応じて異なるポイントを設定することができ、ユーザの利用を促進することが可能となる。ユーザは、ポイントの高い駐輪場を使用することで多くのポイントを獲得することができる。
【０１４８】
ステップＳ１５５において、ユーザ端末１３は、管理サーバ１１から送信されてきた駐輪場の利用終了受信通知を受信し、ユーザに駐輪場の利用終了を通知する。例えば、「駐輪場の利用を終了しました。」等のメッセージが、ユーザ端末１３のディスプレイに表示されたり、メール通知される。これにより、ユーザは、駐輪場の利用終了処理および決済処理が行われたことを認識することができる。
【０１４９】
以上の第３実施の形態における第１の利用登録処理によれば、ユーザ端末１３が、ユーザが駐輪場に自転車を駐輪させたこと、および、駐輪させた自転車を出庫させたことを、端末内の位置情報検出部５５から取得される位置情報に基づいて自動で（ユーザの操作なしで）検出し、利用終了後に、予め登録されたクレジットカード情報や電子マネーカード情報に基づいて決済（利用料金の精算）が行われる。したがって、ユーザは、シェアリングサービスに登録済みの駐輪場を簡単に利用することができる。
【０１５０】
また、第３実施の形態においても同様に、図４で説明した利用情報検索処理が実行可能である。これにより、第三者としての監視員、通行人、運営会社の社員等による不正駐輪の監視機能が働き、ユーザの不正な利用を抑止することができる。
【０１５１】
（その他の利用登録処理）
自転車を駐輪させる駐輪場には、図１０のAに示されるように、ロックバー８１A等で自転車を個別に（１台ずつ）ロックできるロック装置８１を設置している場合がある。
【０１５２】
また、自動車を駐車する駐車場においても、図１０のBに示されるように、自動車を個別に（１台ずつ）ロックできるロック装置８２を設置している場合がある。図１０のBのロック装置８２は、車両の有無を検出する車両センサが車室内の地面に埋め込まれており、車室に車両が駐車された場合に、フラップ８３が上昇することにより車両の出庫を制限し、フラップ８３が下降すると車両が出庫可能となるフラップタイプのロック装置であるが、ロック装置８２は、このタイプに限らず、様々なロックの方式が存在する。
【０１５３】
以下では、第３実施の形態における第２の利用登録処理として、図１０に示したように、自転車または自動車の出庫をロックするロック装置（出庫制限装置）を有する場合の利用登録処理について説明する。また、以下の第２の利用登録処理では、車両が自動車であって、駐車場に自動車を駐車する場合の例について説明する。車両が自動車である場合、上述した自転車の防犯登録番号に相当する、自動車を固有に識別する識別情報には、例えば、車両ナンバを採用することができる。
【０１５４】
図１１のフローチャートを参照して、第３実施の形態における第２の利用登録処理について説明する。
【０１５５】
ユーザは、駐車を希望する駐車場の空いている車室に自動車を駐車させる。ステップＳ１７１において、ロック装置８２は、自分の車室に自動車が駐車されたかを判定し、駐車されたと判定されるまで、ステップＳ１７１の処理を繰り返す。
【０１５６】
ステップＳ１７１で、自動車が駐車されたと判定された場合、処理はステップＳ１７２に進み、自動車が出庫できないように自動車をロックする。ロック装置８２が、例えば、図１０のBに示したように、フラップ８３が上昇するタイプのロック装置である場合、ロック装置８２は、フラップ８３を上昇させる。
【０１５７】
ステップＳ１７３において、ロック装置８２は、駐車場を識別する駐車場IDと、車室を識別する車室IDともに、駐車場の利用開始を通知する利用開始通知を、管理サーバ１１に送信する。
【０１５８】
一方、ユーザは、駐車場の車室に自動車を駐車させた後、ユーザ端末１３を操作して、駐車場の利用開始操作を行う。具体的には、ユーザは、ユーザ端末１３のアプリまたはブラウザから管理サーバ１１にアクセスし、駐車の利用開始画面をディスプレイに表示させ、例えば、「駐車場の利用開始」ボタンを押下する。
【０１５９】
ユーザ端末１３の利用登録部５２は、ステップＳ１８１において、ユーザの利用開始操作を受け付け、位置情報検出部５５に現在の位置情報を取得させる。
【０１６０】
ステップＳ１８２において、位置情報検出部５５は、現在の位置情報を取得して、利用登録部５２に供給する。
【０１６１】
利用登録部５２は、ステップＳ１８３において、位置情報検出部５５から、高精度な現在の位置情報を取得し、取得した位置情報に基づいて、ユーザが自動車を駐車した駐車場と、車室を特定する。利用登録部５２は、利用DB３３に登録されている駐車場の位置を車室単位で予め取得して記憶しており、位置情報検出部５５から供給されたユーザの現在位置と、記憶している駐車場の各車室の位置を比較することで、ユーザが駐車した駐車場および車室を特定することができる。
【０１６２】
そして、利用登録部５２は、特定した駐車場および車室をディスプレイに表示し、駐車場の利用開始をユーザに確認する。例えば、「駐車場○○の車室○番の利用を開始します。よろしいですか？」のメッセージがディスプレイに表示される。ユーザは、表示された駐車場および車室が正しい場合は、「はい」を押下し、車室番号等が異なる場合は、訂正する操作を行う。
【０１６３】
例えば、上記の「駐車場○○の車室○番の利用を開始します。よろしいですか？」のメッセージにおいて「はい」が押下され、ユーザが駐車した正しい駐車場および車室が特定されると、ステップＳ１８４において、利用登録部５２は、ユーザID、駐車場ID、および、車室IDとともに、駐車場の利用開始を通知する利用開始通知を、管理サーバ１１に送信する。駐車場IDおよび車室IDは、駐車場の位置とともに、ユーザ端末１３内に記憶されている。
【０１６４】
ステップＳ１８５において、管理サーバ１１のシステム管理部３１は、ロック装置８２から送信されてくる利用開始通知、駐車場ID、および、車室IDを受信する。また、ステップＳ１８５において、システム管理部３１は、ユーザ端末１３から送信されてくる、利用開始通知、ユーザID、駐車場ID、および、車室IDを受信する。さらに、システム管理部３１は、ユーザ端末１３から受信した利用開始通知のなかから、ロック装置８２から受信した利用開始通知に含まれる駐車場IDおよび車室IDと同一の駐車場IDおよび車室IDを検索して、対応付ける。そして、システム管理部３１は、対応付けたユーザ端末１３の利用開始通知に含まれるユーザIDと、そのユーザの車両ナンバを、利用開始時刻ととともに、利用DB３３内の、受信した駐車場IDおよび車室IDの領域に記憶させる。ユーザIDに対応する車両ナンバは、ユーザDB３２に記憶されている。
【０１６５】
ステップＳ１８６において、システム管理部３１は、利用開始通知を受信した旨の利用開始受信通知を、駐車場IDおよび車室IDとともに、ユーザ端末１３に返信する。この駐車場IDおよび車室IDは省略してもよい。
【０１６６】
ステップＳ１８７において、ユーザ端末１３は、管理サーバ１１から送信されてきた駐車場の利用開始受信通知を受信し、ユーザに駐車場の利用開始を通知する。例えば、「駐車場○○の車室○番の利用を開始しました。」等のメッセージが、ユーザ端末１３のディスプレイに表示されたり、メール通知される。ユーザは、駐車場の利用開始処理が行われたことを認識することができる。
【０１６７】
以上のように、利用開始処理では、ユーザが駐車場の利用開始操作を行うと、駐車した駐車場および車室が位置情報に基づいて自動で特定される。そして、特定された駐車位置情報を確認する操作が行われると、利用開始通知が管理サーバ１１へ送信され、利用DB３３に記録される。
【０１６８】
ユーザは、駐車場に自動車を駐車させた後、駐車場を離れる。そして、ユーザは、所定の用事を済ませた後、駐車場へ停めた自動車を出庫させるために、駐車場へ再び戻る。
【０１６９】
そして、ユーザは、ユーザ端末１３を操作して、駐車場の利用終了操作を行う。例えば、ユーザは、ユーザ端末１３のアプリまたはブラウザから管理サーバ１１にアクセスし、駐車の利用終了画面をディスプレイに表示させ、「駐車場の利用終了」ボタンを押下する。
【０１７０】
ステップＳ１８８において、ユーザ端末１３の利用登録部５２は、ユーザの利用終了操作を受け付け、ステップＳ１８９において、ユーザIDとともに、駐車場からの出庫を通知する出庫通知を、管理サーバ１１に送信する。利用登録部５２がユーザの利用終了操作を受け付けた際、利用開始操作の場合と同様に、例えば、「駐車場○○の車室○番の利用を終了します。よろしいですか？」のように、位置情報に基づいて特定した駐車場および車室をディスプレイに表示し、駐車場の利用終了をユーザに確認してもよい。駐車場および車室は、改めて位置情報に基づいて検出しなくても、利用開始操作時に記憶したものでもよい。
【０１７１】
ステップＳ１９０において、管理サーバ１１のシステム管理部３１は、ユーザ端末１３からの出庫通知を受信し、出庫通知を受信したユーザIDに対応する駐車場IDおよび車室IDのロック装置８２に、ロックを解除する解錠指示を送信する。
【０１７２】
ロック装置８２は、ステップＳ１９１において、システム管理部３１からの解錠指示を受信し、解錠する。ロック装置８２が、例えば、フラップ８３が上昇するタイプのロック装置である場合、ロック装置８２は、フラップ８３を下降させる。
【０１７３】
ユーザは、自分が駐車している車室のロック装置８２が解錠されたことを確認すると、自動車を移動させ、出庫する。
【０１７４】
ステップＳ２０１において、ユーザ端末１３の位置情報検出部５５は、現在の位置情報を取得して、利用登録部５２に供給する。
【０１７５】
ステップＳ２０２において、利用登録部５２は、位置情報検出部５５から供給された位置情報を取得し、ユーザが駐車させた駐車場の車室から自動車を出庫させたかを判定する。自動車を駐車場の車室から出庫させたか否かの判定方法は、位置情報検出部５５で検出された位置情報が、車室の位置から一定の範囲だけ離れた場合に、車室から出庫させたと判定することができる。
【０１７６】
ステップＳ２０２で、ユーザが駐車場の車室から自動車を出庫させていないと判定された場合、処理はステップＳ２０１に戻り、ステップＳ２０１およびＳ２０２の処理が繰り返される。すなわち、ユーザが駐車場の車室から自動車を出庫させたと判定されるまで、ユーザが駐車場の車室から自動車を出庫させたか否かが継続的に検出される。
【０１７７】
ステップＳ２０２で、ユーザが駐車場の車室から自動車を出庫させたと判定された場合、処理はステップＳ２０３に進み、利用登録部５２は、ユーザID、駐車場ID、および車室IDとともに、駐車場の利用終了を通知する利用終了通知を、管理サーバ１１に送信する。なお、駐車場ID、および車室IDは、ユーザIDが分かれば利用DB３３で確認できるので、省略してもよい。
【０１７８】
ステップＳ２０４において、管理サーバ１１のシステム管理部３１は、ユーザ端末１３からの利用終了通知を受信し、利用DB３３内の、受信したユーザIDが記憶された駐車場IDの利用開始時刻と対応させて利用終了時刻を記憶させる。あるいはまた、利用終了通知を受信したユーザについては、利用DB３３内の駐車した駐車場IDおよび車室IDに記憶されている、ユーザIDおよび車両ナンバの情報を削除してもよい。
【０１７９】
ステップＳ２０５において、システム管理部３１は、出庫したユーザが登録したクレジットカード情報や電子マネーカード情報に基づいて、利用時間に応じた駐車場の利用料金を精算する決済処理を行う。なお、上述した出庫通知の受信により、出庫された車室に駐車したユーザが特定できる場合には、利用終了通知のパラメータであるユーザIDを省略してもよい。
【０１８０】
ステップＳ２０６において、システム管理部３１は、利用終了通知を受信した旨の利用終了受信通知を、ユーザ端末１３に返信する。
【０１８１】
また、ステップＳ２０５の利用終了受信通知の返信では、システム管理部３１は、利用実績に応じたポイントをユーザ端末１３に送信する。これにより、ユーザは、駐車場の使用や使用した時間等に応じて報酬としてのポイントを獲得することができる。ここで獲得できるポイントは、図３のステップＳ２１における駐車場情報の一部として設定された値に基づく。オーナは、休日や平日、時間帯等に応じて異なるポイントを設定することができ、ユーザの利用を促進することが可能となる。ユーザは、ポイントの高い駐車場を使用することで多くのポイントを獲得することができる。
【０１８２】
ステップＳ２０７において、ユーザ端末１３は、管理サーバ１１から送信されてきた駐車場の利用終了受信通知を受信し、ユーザに駐車場の利用終了を通知する。例えば、「駐車場○○の車室○番の利用を終了しました。」等のメッセージが、ユーザ端末１３のディスプレイに表示されたり、メール通知される。これにより、ユーザは、駐車場の利用終了処理および決済処理が行われたことを認識することができる。
【０１８３】
以上の第３実施の形態における第２の利用登録処理によれば、ユーザがユーザ端末１３において駐車場の利用開始操作を行うと、端末内の位置情報検出部５５から取得される位置情報に基づいて自動で、駐車した駐車場および車室が特定されて表示される。そして、駐車させた車室を出庫すると、自動で（ユーザの操作なしで）、予め登録されたクレジットカード情報や電子マネーカード情報に基づいて決済処理（利用料金の精算）が行われる。したがって、ユーザは、シェアリングサービスに登録済みの駐車場を簡単に利用することができ、かつ、不正利用を防止することができる。
【０１８４】
なお、図１１のフローチャートでは処理を省略したが、図９のステップＳ１４５およびＳ１５３と同様に、利用開始通知および利用終了通知のメッセージをオーナ端末１３に送信することができる。これにより、オーナは、駐車場の利用の開始および終了を認識することができる。
【０１８５】
また、第３実施の形態においても同様に、図４で説明した利用情報検索処理が実行可能である。これにより、第三者としての監視員、通行人、運営会社の社員等による不正駐輪または不正駐車の監視機能が働き、ユーザの不正な利用を抑止することができる。
【０１８６】
上述した第２の利用登録処理では、管理サーバ１１のシステム管理部３１が、ユーザ端末１３から出庫通知を受信した場合に、利用終了する車室のロック装置８２に、解錠指示を送信した。しかしながら、上述したステップＳ１８８で、ユーザ端末１３の利用登録部５２がユーザの利用終了操作を受け付けた場合、利用登録部５２が、直接、利用終了する車室のロック装置８２に、解錠指示を送信してもよい。すなわち、ロック装置８２への解錠指示は、管理サーバ１１が送ってもよいし、ユーザ端末１３が送ってもよい。
【０１８７】
上述した第２の利用登録処理では、ユーザが、利用開始時の利用開始操作と、利用終了時の利用終了操作の両方を行う例について説明したが、利用開始操作は省略することができる。この場合、ステップＳ１８１乃至Ｓ１８４、Ｓ１８６、および、Ｓ１８７が省略される。
【０１８８】
より具体的には、例えば、ユーザが所定の駐車場の車室に自動車を駐車させた場合、ステップＳ１７３におけるロック装置８２からの利用開始通知によって、自動車の駐車が開始された利用開始時刻が、利用DB３３内の、受信した駐車場IDおよび車室IDの領域に記憶される。そして、ユーザ端末１３において駐車場の利用終了操作が行われたときに、ステップＳ１８９において、位置情報検出部５５で検出された位置情報に基づいて駐車場および車室が特定され、ユーザIDの他、駐車場IDおよび車室IDとともに、出庫通知が管理サーバ１１に送信される。その後の処理は上述した処理と同様である。出庫通知とともに送信されてきた駐車場IDおよび車室IDに基づいて、利用DB３３内の駐車場IDおよび車室IDの領域を確認することで利用開始時刻が確認できるので、ステップＳ２０５の決済処理も行うことができる。
【０１８９】
また、ステップＳ１７２においてロック装置８２が自動車をロックした後、ステップＳ１７３において利用開始通知を管理サーバ１１に送信せずに、ロック装置８２自身が利用開始時刻を記憶してもよい。この場合、ステップＳ１７３およびＳ１８５がさらに省略される。
【０１９０】
ロック装置８２自身が利用開始時刻を記憶した場合には、例えば、ロック装置８２が、ステップＳ１９０において、管理サーバ１１から送信されてきた解錠指示を受信し、解錠動作を行った後、解除動作を行った駐車場IDおよび車室IDの利用開始時刻を管理サーバ１１に返信する。これにより、管理サーバ１１は、出庫させる駐車場IDおよび車室IDに駐車されていた自動車の利用開始時刻が確認できるので、ステップＳ２０５の決済処理を行うことができる。
【０１９１】
上述した第２の利用登録処理では、駐車場を識別する駐車場識別情報としての駐車場IDと、駐車場内の車室を識別する車室識別情報としての車室IDを分けて考えたが、駐車場IDと駐車場IDを組み合わせた情報を、駐車場識別情報と考えてもよい。また、駐車場の車室単位で、ユーザが自動車を駐車させたか否かを判定したが、本技術は、車室単位で入出庫を制限するタイプの駐車場ではなく、駐車場の入口および出口にゲートが設置され、駐車場単位で入出庫を制限するタイプの駐車場にも適用できる。この場合、車室を識別する車室IDが省略される。
【０１９２】
上述した第２の利用登録処理では、ユーザが駐車場の車室から自動車を出庫させたと判定され、利用終了通知を管理サーバ１１が受信した場合に、決済処理を行うようにしたが、決済処理を行うタイミングは別のタイミングでもよい。例えば、管理サーバ１１がユーザ端末１３からの出庫通知を受信した場合、ロック装置８２に解錠指示を送信した場合、または、ロック装置８２から解錠が行われたことが返信された場合などに、決済処理を行うようにしてもよい。
【０１９３】
上述した第３実施の形態では、車両である自動車または自転車の位置情報として、ユーザ端末１３の位置情報検出部５５で検出される位置情報を用いたが、例えば、自動車または自転車等の車両に内蔵されるGPSチップ等で検出された位置情報を通信により取得して、車両自身の位置情報を用いてもよい。車両自身の位置情報は、ユーザ端末１３が車両と直接通信を行って取得してもよいし、管理サーバ１１またはその他のサーバ装置を介して取得してもよい。
【０１９４】
＜１０．サーバ装置のハードウエア構成例＞
図１２は、管理サーバ１１として利用されるサーバ装置のハードウエアの構成例を示すブロック図である。
【０１９５】
サーバ装置においては、CPU（Central Processing Unit）１０１，ROM（Read Only Memory）１０２，RAM（Random Access Memory）１０３は、バス１０４により相互に接続されている。
【０１９６】
バス１０４には、さらに、入出力インタフェース１０５が接続されている。入出力インタフェース１０５には、入力部１０６、出力部１０７、記憶部１０８、通信部１０９、及びドライブ１１０が接続されている。
【０１９７】
入力部１０６は、キーボード、マウス、マイクロホン、タッチパネル、入力端子などよりなる。出力部１０７は、ディスプレイ、スピーカ、出力端子などよりなる。記憶部１０８は、ハードディスク、RAMディスク、不揮発性のメモリなどよりなる。通信部１０９は、所定のネットワークを介したネットワーク通信を行うネットワークインタフェースなどよりなる。ドライブ１１０は、磁気ディスク、光ディスク、光磁気ディスク、或いは半導体メモリなどのリムーバブル記録媒体１１１を駆動する。
【０１９８】
以上のように構成されるサーバ装置では、CPU１０１が、例えば、記憶部１０８に記憶されているプログラムを、入出力インタフェース１０５及びバス１０４を介して、RAM１０３にロードして実行することにより、上述した一連の処理が行われる。RAM１０３にはまた、CPU１０１が各種の処理を実行する上において必要なデータなども適宜記憶される。
【０１９９】
サーバ装置では、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【０２００】
＜１１．端末装置のハードウエア構成例＞
図１３は、端末装置１２乃至１４として利用される端末装置のハードウエア構成例を示すブロック図である。
【０２０１】
図１３において、CPU（Central Processing Unit）１３１は、各種の処理を実行する演算処理部であり、OS(Operating System)などの基本プログラムや、各種のアプリ（アプリケーション）を必要に応じて実行する。CPU１３１は、バス１３５を介してROM（Read Only Memory）１３２、RAM（Random Access Memory）１３３、およびNVRAM（Non Volatile RAM）１３４と相互に接続される。このバス１３５にはまた、入出力インタフェース１３６も接続され、入出力インタフェース１３６には、記憶部１３７およびドライブ１３８が接続される。
【０２０２】
ROM１３２には予めOSなどの基本プログラムやデータが格納される。RAM１３３およびNVRAM１３４には、ROM１３２や記憶部１３７に格納されているアプリやデータがロードされる。RAM１３３およびNVRAM１３４にはまた、CPU１３１が各種の処理を実行する上において必要なデータなども適宜記憶される。記憶部１３７は、フラッシュメモリなどにより構成され、上述した一連の処理を実行するアプリや、電源オフ時においても記憶しておくことが必要なデータを記憶する。
【０２０３】
ドライブ１３８は、必要に応じて装着される、半導体メモリなどのリムーバブルメディア１３９からのデータを読み出し、入出力インタフェース１３６等を介してCPU１３１に供給したり、CPU１３１から供給されるデータをリムーバブルメディア１３９に書き込む。読み書きされるデータには、インストールされるアプリのデータが含まれていてもよい。
【０２０４】
入出力インタフェース１３６には、入力部１４０、音声入出力部１４１、タッチスクリーン１４２、無線通信部１４３、電話回線網通信部１４４、撮影部１４５、GNSS受信部１４６、および、センサ群１４７が接続される。
【０２０５】
入力部１４０は、ホームボタン、電源ボタン等の各種のボタンにより構成され、ユーザの操作による入力を受け付けて、CPU１３１等に供給する。音声入出力部１４１は、スピーカ、マイクロホン等により構成され、通話のための音声を入出力する。
【０２０６】
タッチスクリーン１４２は、表示部１４２Aと位置検出部１４２Bとを有し、各種の画面表示と、指等を近接、又は、接触（タッチ）することによる操作入力とが可能になっている。
【０２０７】
表示部１４２Aは、液晶パネルやOLED(Organic Light Emitting Diode)等のデバイス（表示装置）で構成され、入出力インタフェース１３６を介して供給されるデータに応じて、所定の画面（画像）を表示する。
【０２０８】
位置検出部１４２Bは、例えば、静電式等のタッチパネル等の、外部からの入力（近接・接触）を受け付ける（検知する）機能を有するデバイスで構成される。
【０２０９】
タッチスクリーン１４２は、以上のような表示部１４２Aと位置検出部１４２Bとが一体的になっており、表示部１４２Aにおいて画面を表示し、位置検出部１４２Bにおいて、表示部１４２Aに表示された画面に対する外部からの操作入力（タッチや近接）を受け付けることができる。
【０２１０】
位置検出部１４２Bが出力する位置信号は、入出力インタフェース１３６を介して、CPU１３１に供給され、CPU１３１では、位置検出部１４２Bからの位置信号に基づき、どのような操作入力があったかが認識され、その操作入力に応じて、各種の処理が行われる。
【０２１１】
無線通信部１４３は、RFID、Bluetooth（登録商標）、赤外線通信、Wi-Fi（商標）方式等による無線通信を行う。電話回線網通信部１４４は、移動体電話通信網を介して他の装置と音声通信、または、パケット通信を行う。撮影部１４５は、CCD(Charge Coupled Device)やCMOS（Complementary Metal Oxide Semiconductor）センサ等の撮像素子などにより構成される。撮影部１４５は、被写体を撮影し、撮影した被写体の画像データを、入出力インタフェース１３６を介してCPU１３１等に供給する。
【０２１２】
GNSS受信部１４６は、GNSS（Global Navigation Satellite System）の測位衛星が放送する測位信号を受信して測位を行う。GNSS受信部１４６は、例えば、GPS（USA）、GLONASS（ロシア）、BeiDou（中国）、Galileo（EU）、準天頂衛星みちびき（日本）等の測位衛星からの電波を複数受信する受信機で構成される。
【０２１３】
センサ群１４７は、端末装置の状態を検出するための１以上のセンサで構成される。センサ群１４７に含まれるセンサの一例としては、例えば、ジャイロセンサ、傾きセンサ、加速度センサ、方位センサ、温度センサ、湿度センサ、照度センサなどが挙げられる。
【０２１４】
端末装置は以上のように構成される。
【０２１５】
本技術の実施の形態は、上述した実施の形態に限定されるものではなく、本技術の要旨を逸脱しない範囲において種々の変更が可能である。
【０２１６】
上述した実施の形態では、ユーザの所定の駐車場の利用料金を精算するための決済情報として、クレジットカード情報や電子マネーカード情報をユーザ登録処理において事前に登録しておくようにしたが、事前に登録していないユーザが、上記のシェアリングサービスを利用することも可能である。この場合、駐車場を利用したユーザの決済処理を行う前に（例えば、利用終了操作が行われたタイミングで）、ユーザ端末１３上でユーザに決済情報を入力させ、管理サーバ１１に送信すればよい。
【０２１７】
上述した駐車管理システム１の各実施の形態は、駐車場・駐輪場シェアリングサービスを前提としていた。すなわち、駐車管理システム１でユーザに提供される駐車場・駐輪場は、オーナが所有する駐車場や空きスペースであって、オーナが管理サーバ１１に登録した駐車場であった。
【０２１８】
しかしながら、本技術は、駐車場・駐輪場シェアリングサービスを前提としない駐車場・駐輪場の提供サービスにも適用することができる。この場合、ユーザが利用する駐車場・駐輪場は、例えば、所定の法人等が保有する駐車場・駐輪場であって、法人所属の社員や駐車場管理会社の社員等によって、管理サーバ１１に登録される。また、上述した駐車管理システム１における端末装置１２（オーナ端末１２）は、法人所属の社員や駐車場管理会社の社員等が操作する端末装置１２となる。
【０２１９】
上述した実施の形態では、自転車を停める駐輪場を利用するシステムの例について主に説明したが、本技術は、例えば、自動二輪車（バイク）、自動車等の、自転車以外の車両を駐車する場所を、時間単位または日単位で利用するシステム全般に適用することができる。自動二輪車および自動車の駐車を管理する駐車管理システム１では、車両を識別する車両識別情報としては、いわゆる車両ナンバと呼ばれる、自動車登録番号や車両番号を用いることができる。本明細書において、車両には、自転車、自動二輪車（バイク）、自動車等を含み、駐車場には、自転車および自動二輪車用の駐輪場、自動車用の駐車場を含む。
【０２２０】
例えば、上述した複数の実施の形態の全てまたは一部を組み合わせた形態を採用することができる。
【０２２１】
例えば、本技術は、１つの機能をネットワークを介して複数の装置で分担、共同して処理するクラウドコンピューティングの構成をとることができる。
【０２２２】
また、上述のフローチャートで説明した各ステップは、１つの装置で実行する他、複数の装置で分担して実行することができる。
【０２２３】
さらに、１つのステップに複数の処理が含まれる場合には、その１つのステップに含まれる複数の処理は、１つの装置で実行する他、複数の装置で分担して実行することができる。
【０２２４】
なお、本明細書に記載された効果はあくまで例示であって限定されるものではなく、本明細書に記載されたもの以外の効果があってもよい。
【０２２５】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０２２６】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【符号の説明】
【０２２７】
１  駐車管理システム
１１  管理サーバ
１２  端末装置（オーナ端末）
１３  端末装置（ユーザ端末）
１４  端末装置（第三者端末）
３１  システム管理部
３２  ユーザDB
３３  利用DB
４１  駐輪場登録部
４２  利用検索部
４３  ２次元コード読取部
５１  ユーザ登録部
５２  利用登録部
５３  ポイント記憶部
５４  ２次元コード読取部
５５  位置情報検出部
６１  利用検索部
６２  ２次元コード読取部
７１  ２次元コード
１０１  CPU
１０２  ROM
１０３  RAM
１０６  入力部
１０７  出力部
１０８  記憶部
１０９  通信部
１３１  CPU
１３２  ROM
１３３  RAM
１３７  記憶部
１４２  タッチスクリーン
１４３  無線通信部
１４５  撮影部
１４６  GNSS受信部
【図１】
2019191622.tif 000003
【図２】
2019191622.tif 000004
【図３】
2019191622.tif 000005
【図４】
2019191622.tif 000006
【図５】
2019191622.tif 000007
【図６】
2019191622.tif 000008
【図７】
2019191622.tif 000009
【図８】
2019191622.tif 000010
【図９】
2019191622.tif 000011
【図１０】
2019191622.tif 000012
【図１１】
2019191622.tif 000013
【図１２】
2019191622.tif 000014
【図１３】
2019191622.tif 000015
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
駐車場の利用者であるユーザによって携帯される携帯端末装置であって、
前記ユーザが車両を所定の駐車場に駐車した際の利用料金を精算するための決済情報をサーバ装置に送信する決済情報送信部と、
前記ユーザの前記携帯端末装置または前記車両の現在位置の位置情報を検出する位置情報検出部と、
前記位置情報に基づいて、前記ユーザが前記車両を駐車させた前記駐車場を特定し、特定した前記駐車場を前記ユーザに確認する駐車場特定部と、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部と
を備える携帯端末装置。
【請求項２】
前記ユーザの前記駐車場の利用開始を検出する利用開始検出部をさらに備え、
前記位置情報検出部は、前記駐車場の利用開始が検出された場合に、前記車両の現在位置の位置情報を検出し、
前記駐車場特定部は、前記位置情報に基づいて、前記ユーザが前記車両を駐車させた前記駐車場を特定し、特定した前記駐車場を前記ユーザに確認する
請求項１に記載の携帯端末装置。
【請求項３】
前記位置情報検出部は、前記駐車場の利用終了が検出された場合に、前記車両の現在位置の位置情報を検出し、
前記駐車場特定部は、前記位置情報に基づいて、前記ユーザが前記車両を駐車させた駐車場を特定し、特定した前記駐車場を前記ユーザに確認する
請求項１に記載の携帯端末装置。
【請求項４】
前記利用終了検出部は、前記位置情報に基づいて、前記ユーザの前記車両が前記駐車場を移動したと判定された場合に、前記ユーザの前記駐車場の利用終了を検出する
請求項１に記載の携帯端末装置。
【請求項５】
前記駐車場特定部は、前記位置情報に基づいて、前記ユーザが前記車両を駐車させた前記駐車場と車室を特定する
請求項１に記載の携帯端末装置。
【請求項６】
前記利用終了検出部は、前記ユーザの前記駐車場の利用終了が検出された場合に、前記駐車場において前記ユーザの前記車両の出庫を制限する出庫制限装置に、前記ユーザの前記車両の出庫制限を解除する解除指示を送信する
請求項１に記載の携帯端末装置。
【請求項７】
前記位置情報検出部に代えて、前記ユーザが前記車両を駐車させた前記駐車場を識別する駐車場識別情報を検出する駐車場識別情報検出部をさらに備え、
前記駐車場特定部は、前記駐車場識別情報検出部により検出された前記駐車場識別情報に基づいて、前記ユーザが前記車両を駐車させた前記駐車場を特定し、特定した前記駐車場を前記ユーザに確認する
請求項１に記載の携帯端末装置。
【請求項８】
駐車場の利用者であるユーザの前記駐車場の利用料金を精算するための決済情報を、前記ユーザの携帯端末装置から受信する決済情報受信部と、
前記駐車場とその車室の利用開始を通知する利用開始通知を、前記携帯端末装置が検出した位置情報または駐車場識別情報に基づいて前記駐車場とその車室を特定した前記携帯端末装置、または、前記駐車場において前記ユーザの車両の出庫を制限する出庫制限装置から受信し、前記駐車場とその車室に対する前記ユーザの利用終了を示す利用終了通知を、前記ユーザを識別するユーザ識別情報または前記駐車場を識別する前記駐車場識別情報とともに受信し、前記利用開始通知を受信した時刻と、前記利用終了通知を受信した時刻に基づいて、前記決済情報を用いて、前記ユーザの前記駐車場の利用料金を精算する決済処理を行う制御部と
を備えるサーバ装置。
【請求項９】
前記制御部は、前記ユーザの前記携帯端末装置から、前記駐車場からの出庫を通知する出庫通知を受信した場合に、前記駐車場において前記ユーザの車両の出庫を制限する前記出庫制限装置に、前記ユーザの前記車両の出庫制限を解除する解除指示をさらに送信する
請求項８に記載のサーバ装置。
【請求項１０】
前記ユーザの車両を識別する車両識別情報を、前記携帯端末装置から受信する車両識別情報受信部と、
前記駐車場識別情報に対応付けて、前記駐車場に車両を駐車している前記ユーザの前記車両識別情報を記憶する利用情報記憶部と、
他の装置から取得した前記駐車場識別情報が示す前記駐車場に駐車している車両の前記車両識別情報を前記他の装置に通知する通知部と
をさらに備える
請求項８に記載のサーバ装置。
【請求項１１】
駐車場の利用者であるユーザによって携帯される携帯端末装置と、サーバ装置とからなり、
前記携帯端末装置は、
前記ユーザが車両を所定の駐車場に駐車した際の利用料金を精算するための決済情報を前記サーバ装置に送信する決済情報送信部と、
前記ユーザの前記携帯端末装置または前記車両の現在位置の位置情報を検出する位置情報検出部と、
前記位置情報に基づいて、前記ユーザが前記車両を駐車させた前記駐車場を特定し、特定した前記駐車場を前記ユーザに確認する駐車場特定部と、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部と
を備え、
前記サーバ装置は、
前記決済情報を、前記ユーザの前記携帯端末装置から受信する決済情報受信部と、
前記利用終了通知を、前記ユーザ識別情報または前記駐車場識別情報とともに受信し、前記決済情報を用いて、前記ユーザの前記駐車場の利用料金を精算する決済処理を行う制御部と
を備える
駐車管理システム。
【請求項１２】
駐車場の利用者であるユーザによって携帯される携帯端末装置と、サーバ装置とからなる駐車管理システムの駐車管理方法であって、
前記携帯端末装置が、前記ユーザが車両を所定の駐車場に駐車した際の利用料金を精算するための決済情報を前記サーバ装置に送信する決済情報送信ステップと、
前記ユーザの前記携帯端末装置または前記車両の現在位置の位置情報を検出する位置情報検出ステップと、
前記位置情報に基づいて、前記ユーザが前記車両を駐車させた前記駐車場を特定し、特定した前記駐車場を前記ユーザに確認する駐車場特定ステップと、
特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出ステップと
を備え、
前記サーバ装置は、
前記決済情報を、前記ユーザの前記携帯端末装置から受信する決済情報受信ステップと、
前記利用終了通知を、前記ユーザ識別情報または前記駐車場識別情報とともに受信し、前記決済情報を用いて、前記ユーザの前記駐車場の利用料金を精算する決済処理を行う制御ステップと
を備える
駐車管理方法。
【手続補正３】
【補正対象書類名】明細書
【補正対象項目名】０００１
【補正方法】変更
【補正の内容】
【０００１】
本技術は、携帯端末装置、サーバ装置、駐車管理システム、および、駐車管理方法に関し、特に、利用するユーザが簡単に利用でき、かつ、不正利用を防止することができるようにした携帯端末装置、サーバ装置、駐車管理システム、および、駐車管理方法に関する。
【手続補正４】
【補正対象書類名】明細書
【補正対象項目名】０００９
【補正方法】変更
【補正の内容】
【０００９】
本技術の第１の側面の携帯端末装置は、駐車場の利用者であるユーザによって携帯される携帯端末装置であって、前記ユーザが車両を所定の駐車場に駐車した際の利用料金を精算するための決済情報をサーバ装置に送信する決済情報送信部と、前記ユーザの携帯端末装置または前記車両の現在位置の位置情報を検出する位置情報検出部と、前記位置情報に基づいて、前記ユーザが前記車両を駐車させた前記駐車場を特定し、特定した前記駐車場を前記ユーザに確認する駐車場特定部と、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部とを備える。
【手続補正５】
【補正対象書類名】明細書
【補正対象項目名】００１０
【補正方法】変更
【補正の内容】
【００１０】
本技術の第１の側面においては、ユーザが車両を所定の駐車場に駐車した際の利用料金を精算するための決済情報がサーバ装置に送信され、前記ユーザの携帯端末装置または前記車両の現在位置の位置情報が検出され、前記位置情報に基づいて、前記ユーザが前記車両を駐車させた前記駐車場が特定され、特定された前記駐車場が前記ユーザに確認され、特定された前記駐車場の利用終了が検出され、前記ユーザを識別するユーザ識別情報または前記駐車場を識別する駐車場識別情報とともに、前記駐車場の利用終了を示す利用終了通知が前記サーバ装置に送信される。
【手続補正６】
【補正対象書類名】明細書
【補正対象項目名】００１１
【補正方法】変更
【補正の内容】
【００１１】
本技術の第２の側面のサーバ装置は、駐車場の利用者であるユーザの前記駐車場の利用料金を精算するための決済情報を、前記ユーザの携帯端末装置から受信する決済情報受信部と、前記駐車場とその車室の利用開始を通知する利用開始通知を、前記携帯端末装置が検出した位置情報または駐車場識別情報に基づいて前記駐車場とその車室を特定した前記携帯端末装置、または、前記駐車場において前記ユーザの車両の出庫を制限する出庫制限装置から受信し、前記駐車場とその車室に対する前記ユーザの利用終了を示す利用終了通知を、前記ユーザを識別するユーザ識別情報または前記駐車場を識別する前記駐車場識別情報とともに受信し、前記利用開始通知を受信した時刻と、前記利用終了通知を受信した時刻に基づいて、前記決済情報を用いて、前記ユーザの前記駐車場の利用料金を精算する決済処理を行う制御部とを備える。
【手続補正７】
【補正対象書類名】明細書
【補正対象項目名】００１２
【補正方法】変更
【補正の内容】
【００１２】
本技術の第２の側面においては、駐車場の利用者であるユーザの前記駐車場の利用料金を精算するための決済情報が、前記ユーザの携帯端末装置から受信され、前記駐車場とその車室の利用開始を通知する利用開始通知が、前記携帯端末装置が検出した位置情報または駐車場識別情報に基づいて前記駐車場とその車室を特定した前記携帯端末装置、または、前記駐車場において前記ユーザの車両の出庫を制限する出庫制限装置から受信され、前記駐車場とその車室に対する前記ユーザの利用終了を示す利用終了通知が、前記ユーザを識別するユーザ識別情報または前記駐車場を識別する前記駐車場識別情報とともに受信され、前記利用開始通知を受信した時刻と、前記利用終了通知を受信した時刻に基づいて、前記決済情報を用いて、前記ユーザの前記駐車場の利用料金を精算する決済処理が行われる。
【手続補正８】
【補正対象書類名】明細書
【補正対象項目名】００１３
【補正方法】変更
【補正の内容】
【００１３】
本技術の第３の側面の駐車管理システムは、駐車場の利用者であるユーザによって携帯される携帯端末装置と、サーバ装置とからなり、前記携帯端末装置は、前記ユーザが車両を所定の駐車場に駐車した際の利用料金を精算するための決済情報を前記サーバ装置に送信する決済情報送信部と、前記ユーザの前記携帯端末装置または前記車両の現在位置の位置情報を検出する位置情報検出部と、前記位置情報に基づいて、前記ユーザが前記車両を駐車させた前記駐車場を特定し、特定した前記駐車場を前記ユーザに確認する駐車場特定部と、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出部とを備え、前記サーバ装置は、前記決済情報を、前記ユーザの前記携帯端末装置から受信する決済情報受信部と、前記利用終了通知を、前記ユーザ識別情報または前記駐車場識別情報とともに受信し、前記決済情報を用いて、前記ユーザの前記駐車場の利用料金を精算する決済処理を行う制御部とを備える。
【手続補正９】
【補正対象書類名】明細書
【補正対象項目名】００１４
【補正方法】変更
【補正の内容】
【００１４】
本技術の第３の側面の駐車管理方法は、駐車場の利用者であるユーザによって携帯される携帯端末装置と、サーバ装置とからなる駐車管理システムの駐車管理方法であって、前記携帯端末装置が、前記ユーザが車両を所定の駐車場に駐車した際の利用料金を精算するための決済情報を前記サーバ装置に送信する決済情報送信ステップと、前記ユーザの前記携帯端末装置または前記車両の現在位置の位置情報を検出する位置情報検出ステップと、前記位置情報に基づいて、前記ユーザが前記車両を駐車させた前記駐車場を特定し、特定した前記駐車場を前記ユーザに確認する駐車場特定ステップと、特定された前記駐車場の利用終了を検出し、前記ユーザを識別するユーザ識別情報または前記駐車場を識別する駐車場識別情報とともに、前記駐車場の利用終了を示す利用終了通知を前記サーバ装置に送信する利用終了検出ステップとを備え、前記サーバ装置は、前記決済情報を、前記ユーザの前記携帯端末装置から受信する決済情報受信ステップと、前記利用終了通知を、前記ユーザ識別情報または前記駐車場識別情報とともに受信し、前記決済情報を用いて、前記ユーザの前記駐車場の利用料金を精算する決済処理を行う制御ステップとを備える。
【手続補正１０】
【補正対象書類名】明細書
【補正対象項目名】００１５
【補正方法】変更
【補正の内容】
【００１５】
本技術の第３の側面においては、駐車場の利用者であるユーザによって携帯される携帯端末装置と、サーバ装置とからなる駐車管理システムの前記携帯端末装置において、前記ユーザが車両を所定の駐車場に駐車した際の利用料金を精算するための決済情報が前記サーバ装置に送信され、前記ユーザの前記携帯端末装置または前記車両の現在位置の位置情報が検出され、前記位置情報に基づいて、前記ユーザが前記車両を駐車させた前記駐車場が特定され、特定された前記駐車場が前記ユーザに確認され、特定された前記駐車場の利用終了が検出され、前記ユーザを識別するユーザ識別情報または前記駐車場を識別する駐車場識別情報とともに、前記駐車場の利用終了を示す利用終了通知が前記サーバ装置に送信される。また、前記サーバ装置において、前記決済情報が、前記ユーザの前記携帯端末装置から受信され、前記利用終了通知が、前記ユーザ識別情報または前記駐車場識別情報とともに受信され、前記決済情報を用いて、前記ユーザの前記駐車場の利用料金を精算する決済処理が行われる。
【手続補正１１】
【補正対象書類名】明細書
【補正対象項目名】００１６
【補正方法】変更
【補正の内容】
【００１６】
携帯端末装置およびサーバ装置は、独立した装置であっても良いし、１つの装置を構成している内部ブロックであっても良い。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
駐車場の利用者であるユーザによって携帯される携帯端末装置であって、
前記ユーザが車両を所定の駐車場に駐車した際の利用料金を精算するための決済情報をサーバ装置に送信する決済情報送信部と、
測位衛星からの測位信号を受信して、前記ユーザの前記携帯端末装置の位置情報を検出する位置情報検出部と、
前記携帯端末装置の前記位置情報に基づいて、前記ユーザが前記車両を駐車させた前記駐車場および車室を特定し、特定した前記駐車場および車室を前記ユーザに確認する駐車場特定部と、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部と
を備える携帯端末装置。
【請求項２】
前記ユーザの前記駐車場の利用開始を検出する利用開始検出部をさらに備え、
前記位置情報検出部は、前記駐車場の利用開始が検出された場合に、前記車両の現在位置の位置情報として前記携帯端末装置の前記位置情報を検出し、
前記駐車場特定部は、前記位置情報に基づいて、前記ユーザが前記車両を駐車させた前記駐車場および車室を特定し、特定した前記駐車場および車室を前記ユーザに確認する
請求項１に記載の携帯端末装置。
【請求項３】
前記位置情報検出部は、前記駐車場の車室の利用終了が検出された場合に、前記車両の現在位置の位置情報として前記携帯端末装置の前記位置情報を検出し、
前記駐車場特定部は、前記位置情報に基づいて、前記ユーザが前記車両を駐車させた駐車場および車室を特定し、特定した前記駐車場および車室を前記ユーザに確認する
請求項１に記載の携帯端末装置。
【請求項４】
前記利用終了検出部は、前記携帯端末装置の前記位置情報に基づいて、前記ユーザの前記車両が前記駐車場を移動したと判定された場合に、前記ユーザの前記駐車場の車室の利用終了を検出する
請求項１に記載の携帯端末装置。
【請求項５】
前記利用終了検出部は、前記ユーザの前記駐車場の車室の利用終了が検出された場合に、前記駐車場において前記ユーザの前記車両の出庫を制限する出庫制限装置に、前記ユーザの前記車両の車室の出庫制限を解除する解除指示を送信する
請求項１に記載の携帯端末装置。
【請求項６】
測位信号を受信して検出した位置情報に基づいて駐車場とその車室を特定するユーザの携帯端末装置と通信を行うサーバ装置であって、
前記駐車場の利用者であるユーザの前記駐車場の利用料金を精算するための決済情報を、前記ユーザの携帯端末装置から受信する決済情報受信部と、
前記測位信号から検出した前記位置情報により特定された前記駐車場とその車室の利用開始を通知する利用開始通知を、前記測位信号を受信して検出した位置情報に基づいて前記駐車場とその車室を特定した前記携帯端末装置から受信し、前記駐車場とその車室に対する前記ユーザの利用終了を示す利用終了通知を、前記ユーザを識別するユーザ識別情報または前記駐車場を識別する前記駐車場識別情報とともに受信し、前記利用開始通知を受信した時刻と、前記利用終了通知を受信した時刻に基づいて、前記決済情報を用いて、前記ユーザの前記駐車場の利用料金を精算する決済処理を行う制御部と
を備えるサーバ装置。
【請求項７】
前記制御部は、前記ユーザの前記携帯端末装置から、前記駐車場からの出庫を通知する出庫通知を受信した場合に、前記駐車場において前記ユーザの車両の出庫を制限する前記出庫制限装置に、前記ユーザの前記車両の車室の出庫制限を解除する解除指示をさらに送信する
請求項６に記載のサーバ装置。
【請求項８】
前記ユーザの車両を識別する車両識別情報を、前記携帯端末装置から受信する車両識別情報受信部と、
前記駐車場識別情報に対応付けて、前記駐車場に車両を駐車している前記ユーザの前記車両識別情報を記憶する利用情報記憶部と、
他の装置から取得した前記駐車場識別情報が示す前記駐車場に駐車している車両の前記車両識別情報を前記他の装置に通知する通知部と
をさらに備える
請求項６に記載のサーバ装置。
【請求項９】
駐車場の利用者であるユーザによって携帯される携帯端末装置と、サーバ装置とからなり、
前記携帯端末装置は、
前記ユーザが車両を所定の駐車場に駐車した際の利用料金を精算するための決済情報を前記サーバ装置に送信する決済情報送信部と、
測位衛星からの測位信号を受信して、前記ユーザの前記携帯端末装置の位置情報を検出する位置情報検出部と、
前記携帯端末装置の前記位置情報に基づいて、前記ユーザが前記車両を駐車させた前記駐車場および車室を特定し、特定した前記駐車場および車室を前記ユーザに確認する駐車場特定部と、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部と
を備え、
前記サーバ装置は、
前記決済情報を、前記ユーザの前記携帯端末装置から受信する決済情報受信部と、
前記利用終了通知を、前記ユーザ識別情報または前記駐車場識別情報とともに受信し、前記決済情報を用いて、前記ユーザの前記駐車場の車室の利用料金を精算する決済処理を行う制御部と
を備える
駐車管理システム。
【請求項１０】
駐車場の利用者であるユーザによって携帯される携帯端末装置と、サーバ装置とからなる駐車管理システムの駐車管理方法であって、
前記携帯端末装置が、前記ユーザが車両を所定の駐車場に駐車した際の利用料金を精算するための決済情報を前記サーバ装置に送信する決済情報送信ステップと、
測位衛星からの測位信号を受信して、前記ユーザの前記携帯端末装置の位置情報を検出する位置情報検出ステップと、
前記携帯端末装置の前記位置情報に基づいて、前記ユーザが前記車両を駐車させた前記駐車場および車室を特定し、特定した前記駐車場および車室を前記ユーザに確認する駐車場特定ステップと、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出ステップと
を備え、
前記サーバ装置は、
前記決済情報を、前記ユーザの前記携帯端末装置から受信する決済情報受信ステップと、
前記利用終了通知を、前記ユーザ識別情報または前記駐車場識別情報とともに受信し、前記決済情報を用いて、前記ユーザの前記駐車場の車室の利用料金を精算する決済処理を行う制御ステップと
を備える
駐車管理方法。
【手続補正２】
【補正対象書類名】明細書
【補正対象項目名】０００９
【補正方法】変更
【補正の内容】
【０００９】
本技術の第１の側面の携帯端末装置は、駐車場の利用者であるユーザによって携帯される携帯端末装置であって、前記ユーザが車両を所定の駐車場に駐車した際の利用料金を精算するための決済情報をサーバ装置に送信する決済情報送信部と、測位衛星からの測位信号を受信して、前記ユーザの携帯端末装置の位置情報を検出する位置情報検出部と、前記携帯端末装置の前記位置情報に基づいて、前記ユーザが前記車両を駐車させた前記駐車場および車室を特定し、特定した前記駐車場および車室を前記ユーザに確認する駐車場特定部と、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部とを備える。
【手続補正３】
【補正対象書類名】明細書
【補正対象項目名】００１０
【補正方法】変更
【補正の内容】
【００１０】
本技術の第１の側面においては、ユーザが車両を所定の駐車場に駐車した際の利用料金を精算するための決済情報がサーバ装置に送信され、測位衛星からの測位信号が受信されて、前記ユーザの携帯端末装置の位置情報が検出され、前記携帯端末装置の前記位置情報に基づいて、前記ユーザが前記車両を駐車させた前記駐車場および車室が特定され、特定された前記駐車場および車室が前記ユーザに確認され、特定された前記駐車場の車室の利用終了が検出され、前記ユーザを識別するユーザ識別情報または前記駐車場を識別する駐車場識別情報とともに、前記駐車場の車室の利用終了を示す利用終了通知が前記サーバ装置に送信される。
【手続補正４】
【補正対象書類名】明細書
【補正対象項目名】００１１
【補正方法】変更
【補正の内容】
【００１１】
本技術の第２の側面のサーバ装置は、測位信号を受信して検出した位置情報に基づいて駐車場とその車室を特定するユーザの携帯端末装置と通信を行うサーバ装置であって、前記駐車場の利用者であるユーザの前記駐車場の利用料金を精算するための決済情報を、前記ユーザの携帯端末装置から受信する決済情報受信部と、前記測位信号から検出した前記位置情報により特定された前記駐車場とその車室の利用開始を通知する利用開始通知を、前記測位信号を受信して検出した位置情報に基づいて前記駐車場とその車室を特定した前記携帯端末装置から受信し、前記駐車場とその車室に対する前記ユーザの利用終了を示す利用終了通知を、前記ユーザを識別するユーザ識別情報または前記駐車場を識別する前記駐車場識別情報とともに受信し、前記利用開始通知を受信した時刻と、前記利用終了通知を受信した時刻に基づいて、前記決済情報を用いて、前記ユーザの前記駐車場の利用料金を精算する決済処理を行う制御部とを備える。
【手続補正５】
【補正対象書類名】明細書
【補正対象項目名】００１２
【補正方法】変更
【補正の内容】
【００１２】
本技術の第２の側面においては、駐車場の利用者であるユーザの前記駐車場の利用料金を精算するための決済情報が、前記ユーザの携帯端末装置から受信され、前記測位信号から検出した前記位置情報により特定された前記駐車場とその車室の利用開始を通知する利用開始通知が、前記測位信号を受信して検出した位置情報に基づいて前記駐車場とその車室を特定した前記携帯端末装置から受信され、前記駐車場とその車室に対する前記ユーザの利用終了を示す利用終了通知が、前記ユーザを識別するユーザ識別情報または前記駐車場を識別する前記駐車場識別情報とともに受信され、前記利用開始通知を受信した時刻と、前記利用終了通知を受信した時刻に基づいて、前記決済情報を用いて、前記ユーザの前記駐車場の利用料金を精算する決済処理が行われる。
【手続補正６】
【補正対象書類名】明細書
【補正対象項目名】００１３
【補正方法】変更
【補正の内容】
【００１３】
本技術の第３の側面の駐車管理システムは、駐車場の利用者であるユーザによって携帯される携帯端末装置と、サーバ装置とからなり、前記携帯端末装置は、前記ユーザが車両を所定の駐車場に駐車した際の利用料金を精算するための決済情報を前記サーバ装置に送信する決済情報送信部と、測位衛星からの測位信号を受信して、前記ユーザの前記携帯端末装置または前記車両の現在位置の位置情報を検出する位置情報検出部と、前記携帯端末装置の前記位置情報に基づいて、前記ユーザが前記車両を駐車させた前記駐車場および車室を特定し、特定した前記駐車場および車室を前記ユーザに確認する駐車場特定部と、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部とを備え、前記サーバ装置は、前記決済情報を、前記ユーザの前記携帯端末装置から受信する決済情報受信部と、前記利用終了通知を、前記ユーザ識別情報または前記駐車場識別情報とともに受信し、前記決済情報を用いて、前記ユーザの前記駐車場の車室の利用料金を精算する決済処理を行う制御部とを備える。
【手続補正７】
【補正対象書類名】明細書
【補正対象項目名】００１４
【補正方法】変更
【補正の内容】
【００１４】
本技術の第３の側面の駐車管理方法は、駐車場の利用者であるユーザによって携帯される携帯端末装置と、サーバ装置とからなる駐車管理システムの駐車管理方法であって、前記携帯端末装置が、前記ユーザが車両を所定の駐車場に駐車した際の利用料金を精算するための決済情報を前記サーバ装置に送信する決済情報送信ステップと、測位衛星からの測位信号を受信して、前記ユーザの前記携帯端末装置の位置情報を検出する位置情報検出ステップと、前記携帯端末装置の前記位置情報に基づいて、前記ユーザが前記車両を駐車させた前記駐車場および車室を特定し、特定した前記駐車場および車室を前記ユーザに確認する駐車場特定ステップと、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出ステップとを備え、前記サーバ装置は、前記決済情報を、前記ユーザの前記携帯端末装置から受信する決済情報受信ステップと、前記利用終了通知を、前記ユーザ識別情報または前記駐車場識別情報とともに受信し、前記決済情報を用いて、前記ユーザの前記駐車場の車室の利用料金を精算する決済処理を行う制御ステップとを備える。
【手続補正８】
【補正対象書類名】明細書
【補正対象項目名】００１５
【補正方法】変更
【補正の内容】
【００１５】
本技術の第３の側面においては、駐車場の利用者であるユーザによって携帯される携帯端末装置と、サーバ装置とからなる駐車管理システムの前記携帯端末装置において、前記ユーザが車両を所定の駐車場に駐車した際の利用料金を精算するための決済情報が前記サーバ装置に送信され、測位衛星からの測位信号が受信されて、前記ユーザの前記携帯端末装置の位置情報が検出され、前記携帯端末装置の前記位置情報に基づいて、前記ユーザが前記車両を駐車させた前記駐車場および車室が特定され、特定された前記駐車場および車室が前記ユーザに確認され、特定された前記駐車場の車室の利用終了が検出され、前記ユーザを識別するユーザ識別情報または前記駐車場を識別する駐車場識別情報とともに、前記駐車場の車室の利用終了を示す利用終了通知が前記サーバ装置に送信される。また、前記サーバ装置において、前記決済情報が、前記ユーザの前記携帯端末装置から受信され、前記利用終了通知が、前記ユーザ識別情報または前記駐車場識別情報とともに受信され、前記決済情報を用いて、前記ユーザの前記駐車場の車室の利用料金を精算する決済処理が行われる。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
駐車場の利用者であるユーザによって携帯される携帯端末装置であって、
前記ユーザが車両を所定の駐車場に駐車した際の利用料金を精算するための決済情報をサーバ装置に送信する決済情報送信部と、
前記ユーザの前記駐車場の利用開始を検出する利用開始検出部と、
測位衛星からの測位信号を受信して、前記ユーザの前記携帯端末装置の位置情報を検出する位置情報検出部と、
前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部と
を備える携帯端末装置。
【請求項２】
前記利用開始検出部は、ユーザの利用開始操作または前記携帯端末装置の前記位置情報に基づいて、前記ユーザの前記駐車場の利用開始を検出する
請求項１に記載の携帯端末装置。
【請求項３】
前記位置情報検出部は、前記駐車場の車室の利用終了が検出された場合に、前記車両の現在位置の位置情報として前記携帯端末装置の前記位置情報を検出し、
前記駐車場特定部は、前記位置情報に基づいて、前記ユーザが前記車両を駐車させた駐車場および車室を特定し、特定した前記駐車場および車室を前記ユーザに確認する
請求項１に記載の携帯端末装置。
【請求項４】
前記利用終了検出部は、前記携帯端末装置の前記位置情報に基づいて、前記ユーザの前記車両が前記駐車場を移動したと判定された場合に、前記ユーザの前記駐車場の車室の利用終了を検出する
請求項１に記載の携帯端末装置。
【請求項５】
前記利用終了検出部は、前記ユーザの前記駐車場の車室の利用終了が検出された場合に、前記駐車場において前記ユーザの前記車両の出庫を制限する出庫制限装置に、前記ユーザの前記車両の車室の出庫制限を解除する解除指示を送信する
請求項１に記載の携帯端末装置。
【請求項６】
受信した測位信号に基づいて位置情報を検出するユーザの携帯端末装置と通信を行うサーバ装置であって、
駐車場の利用者であるユーザの前記駐車場の利用料金を精算するための決済情報を、前記ユーザの携帯端末装置から受信する決済情報受信部と、
前記位置情報、前記駐車場の利用開始を通知する利用開始通知、前記駐車場の利用終了を通知する利用終了通知、および、前記ユーザを識別するユーザ識別情報または前記駐車場を識別する駐車場識別情報を前記携帯端末装置から受信する駐車利用情報受信部と、
前記携帯端末装置から受信した前記位置情報に基づいて、ユーザが駐車した駐車場を特定し、前記携帯端末装置に送信する送信部と、
特定された前記駐車場の利用開始を通知する前記利用開始通知を受信した時刻と、前記駐車場に対する前記ユーザの利用終了を示す前記利用終了通知を受信した時刻と、前記ユーザ識別情報または前記前記駐車場識別情報とに基づいて、前記決済情報を用いて、前記ユーザの前記駐車場の利用料金を精算する決済処理を行う制御部と
を備えるサーバ装置。
【請求項７】
前記送信部は、前記ユーザの前記携帯端末装置から、前記駐車場からの出庫を通知する出庫通知を受信した場合に、前記駐車場において前記ユーザの車両の出庫を制限する出庫制限装置に、前記ユーザの前記車両の車室の出庫制限を解除する解除指示をさらに送信する
請求項６に記載のサーバ装置。
【請求項８】
前記ユーザの車両を識別する車両識別情報を、前記携帯端末装置から受信する車両識別情報受信部と、
前記駐車場識別情報に対応付けて、前記駐車場に車両を駐車している前記ユーザの前記車両識別情報を記憶する利用情報記憶部と、
他の装置から取得した前記駐車場識別情報が示す前記駐車場に駐車している車両の前記車両識別情報を前記他の装置に通知する通知部と
をさらに備える
請求項６に記載のサーバ装置。
【請求項９】
駐車場の利用者であるユーザによって携帯される携帯端末装置と、サーバ装置とからなり、
前記携帯端末装置は、
前記ユーザが車両を所定の駐車場に駐車した際の利用料金を精算するための決済情報を前記サーバ装置に送信する決済情報送信部と、
前記ユーザの前記駐車場の利用開始を検出する利用開始検出部と、
測位衛星からの測位信号を受信して、前記ユーザの前記携帯端末装置の位置情報を検出する位置情報検出部と、
前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部と
を備え、
前記サーバ装置は、
前記決済情報を、前記ユーザの前記携帯端末装置から受信する決済情報受信部と、
前記利用終了通知を、前記ユーザ識別情報または前記駐車場識別情報とともに受信し、前記決済情報を用いて、前記ユーザの前記駐車場の車室の利用料金を精算する決済処理を行う制御部と
を備える
駐車管理システム。
【請求項１０】
駐車場の利用者であるユーザによって携帯される携帯端末装置と、サーバ装置とからなる駐車管理システムの駐車管理方法であって、
前記携帯端末装置が、前記ユーザが車両を所定の駐車場に駐車した際の利用料金を精算するための決済情報を前記サーバ装置に送信する決済情報送信ステップと、
前記ユーザの前記駐車場の利用開始を検出する利用開始検出ステップと、
測位衛星からの測位信号を受信して、前記ユーザの前記携帯端末装置の位置情報を検出する位置情報検出ステップと、
前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定ステップと、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出ステップと
を備え、
前記サーバ装置は、
前記決済情報を、前記ユーザの前記携帯端末装置から受信する決済情報受信ステップと、
前記利用終了通知を、前記ユーザ識別情報または前記駐車場識別情報とともに受信し、前記決済情報を用いて、前記ユーザの前記駐車場の車室の利用料金を精算する決済処理を行う制御ステップと
を備える
駐車管理方法。
【請求項１１】
駐車場の利用者であるユーザによって携帯される携帯端末装置のコンピュータを、
前記ユーザが車両を所定の駐車場に駐車した際の利用料金を精算するための決済情報をサーバ装置に送信させる決済情報送信部と、
前記ユーザの前記駐車場の利用開始を検出する利用開始検出部と、
測位衛星からの測位信号に基づいて、前記ユーザの前記携帯端末装置の位置情報を検出する位置情報検出部と、
前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、
特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信させる利用終了検出部
として機能させるためのプログラム。
【手続補正３】
【補正対象書類名】明細書
【補正対象項目名】０００１
【補正方法】変更
【補正の内容】
【０００１】
本技術は、携帯端末装置、サーバ装置、駐車管理システム、駐車管理方法、および、プログラムに関し、特に、利用するユーザが簡単に利用でき、かつ、不正利用を防止することができるようにした携帯端末装置、サーバ装置、駐車管理システム、駐車管理方法、および、プログラムに関する。
【手続補正４】
【補正対象書類名】明細書
【補正対象項目名】０００９
【補正方法】変更
【補正の内容】
【０００９】
本技術の第１の側面の携帯端末装置は、駐車場の利用者であるユーザによって携帯される携帯端末装置であって、前記ユーザが車両を所定の駐車場に駐車した際の利用料金を精算するための決済情報をサーバ装置に送信する決済情報送信部と、前記ユーザの前記駐車場の利用開始を検出する利用開始検出部と、測位衛星からの測位信号を受信して、前記ユーザの携帯端末装置の位置情報を検出する位置情報検出部と、前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部とを備える。
【手続補正５】
【補正対象書類名】明細書
【補正対象項目名】００１０
【補正方法】変更
【補正の内容】
【００１０】
本技術の第１の側面においては、ユーザが車両を所定の駐車場に駐車した際の利用料金を精算するための決済情報がサーバ装置に送信され、前記ユーザの前記駐車場の利用開始が検出され、測位衛星からの測位信号が受信されて、前記ユーザの携帯端末装置の位置情報が検出され、前記駐車場の利用開始が検出された場合に、前記携帯端末装置の前記位置情報に基づいて、前記ユーザが前記車両を駐車させた前記駐車場および車室が特定され、特定された前記駐車場および車室が前記ユーザに確認され、特定された前記駐車場の車室の利用終了が検出され、前記ユーザを識別するユーザ識別情報または前記駐車場を識別する駐車場識別情報とともに、前記駐車場の車室の利用終了を示す利用終了通知が前記サーバ装置に送信される。
【手続補正６】
【補正対象書類名】明細書
【補正対象項目名】００１１
【補正方法】変更
【補正の内容】
【００１１】
本技術の第２の側面のサーバ装置は、受信した測位信号に基づいて位置情報を検出するユーザの携帯端末装置と通信を行うサーバ装置であって、駐車場の利用者であるユーザの前記駐車場の利用料金を精算するための決済情報を、前記ユーザの携帯端末装置から受信する決済情報受信部と、前記位置情報、前記駐車場の利用開始を通知する利用開始通知、前記駐車場の利用終了を通知する利用終了通知、前記ユーザを識別するユーザ識別情報または前記駐車場を識別する駐車場識別情報を前記携帯端末装置から受信する駐車利用情報受信部と、前記携帯端末装置から受信した前記位置情報に基づいて、ユーザが駐車した駐車場を特定し、前記携帯端末装置に送信する送信部と、特定された前記駐車場の利用開始を通知する前記利用開始通知を受信した時刻と、前記駐車場に対する前記ユーザの利用終了を示す前記利用終了通知を受信した時刻と、前記ユーザ識別情報または前記前記駐車場識別情報とに基づいて、前記決済情報を用いて、前記ユーザの前記駐車場の利用料金を精算する決済処理を行う制御部とを備える。
【手続補正７】
【補正対象書類名】明細書
【補正対象項目名】００１２
【補正方法】変更
【補正の内容】
【００１２】
本技術の第２の側面においては、駐車場の利用者であるユーザの前記駐車場の利用料金を精算するための決済情報が、前記ユーザの携帯端末装置から受信され、前記位置情報、前記駐車場の利用開始を通知する利用開始通知、前記駐車場の利用終了を通知する利用終了通知、および、前記ユーザを識別するユーザ識別情報または前記駐車場を識別する駐車場識別情報が、前記携帯端末装置から受信され、前記携帯端末装置から受信した前記位置情報に基づいて、ユーザが駐車した駐車場が特定されて、前記携帯端末装置に送信され、特定された前記駐車場の利用開始を通知する前記利用開始通知を受信した時刻と、前記駐車場に対する前記ユーザの利用終了を示す前記利用終了通知を受信した時刻と、前記ユーザ識別情報または前記駐車場識別情報とに基づいて、前記決済情報を用いて、前記ユーザの前記駐車場の利用料金を精算する決済処理が行われる。
【手続補正８】
【補正対象書類名】明細書
【補正対象項目名】００１３
【補正方法】変更
【補正の内容】
【００１３】
本技術の第３の側面の駐車管理システムは、駐車場の利用者であるユーザによって携帯される携帯端末装置と、サーバ装置とからなり、前記携帯端末装置は、前記ユーザが車両を所定の駐車場に駐車した際の利用料金を精算するための決済情報を前記サーバ装置に送信する決済情報送信部と、前記ユーザの前記駐車場の利用開始を検出する利用開始検出部と、測位衛星からの測位信号を受信して、前記ユーザの前記携帯端末装置または前記車両の現在位置の位置情報を検出する位置情報検出部と、前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出部とを備え、前記サーバ装置は、前記決済情報を、前記ユーザの前記携帯端末装置から受信する決済情報受信部と、前記利用終了通知を、前記ユーザ識別情報または前記駐車場識別情報とともに受信し、前記決済情報を用いて、前記ユーザの前記駐車場の車室の利用料金を精算する決済処理を行う制御部とを備える。
【手続補正９】
【補正対象書類名】明細書
【補正対象項目名】００１４
【補正方法】変更
【補正の内容】
【００１４】
本技術の第３の側面の駐車管理方法は、駐車場の利用者であるユーザによって携帯される携帯端末装置と、サーバ装置とからなる駐車管理システムの駐車管理方法であって、前記携帯端末装置が、前記ユーザが車両を所定の駐車場に駐車した際の利用料金を精算するための決済情報を前記サーバ装置に送信する決済情報送信ステップと、前記ユーザの前記駐車場の利用開始を検出する利用開始検出ステップと、測位衛星からの測位信号を受信して、前記ユーザの前記携帯端末装置の位置情報を検出する位置情報検出ステップと、前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定ステップと、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信する利用終了検出ステップとを備え、前記サーバ装置は、前記決済情報を、前記ユーザの前記携帯端末装置から受信する決済情報受信ステップと、前記利用終了通知を、前記ユーザ識別情報または前記駐車場識別情報とともに受信し、前記決済情報を用いて、前記ユーザの前記駐車場の車室の利用料金を精算する決済処理を行う制御ステップとを備える。
【手続補正１０】
【補正対象書類名】明細書
【補正対象項目名】００１５
【補正方法】変更
【補正の内容】
【００１５】
本技術の第３の側面においては、駐車場の利用者であるユーザによって携帯される携帯端末装置と、サーバ装置とからなる駐車管理システムの前記携帯端末装置において、前記ユーザが車両を所定の駐車場に駐車した際の利用料金を精算するための決済情報が前記サーバ装置に送信され、前記ユーザの前記駐車場の利用開始が検出され、測位衛星からの測位信号が受信されて、前記ユーザの前記携帯端末装置の位置情報が検出され、前記駐車場の利用開始が検出された場合に、前記携帯端末装置の前記位置情報に基づいて、前記ユーザが前記車両を駐車させた前記駐車場および車室が特定され、特定された前記駐車場および車室が前記ユーザに確認され、特定された前記駐車場の車室の利用終了が検出され、前記ユーザを識別するユーザ識別情報または前記駐車場を識別する駐車場識別情報とともに、前記駐車場の車室の利用終了を示す利用終了通知が前記サーバ装置に送信される。また、前記サーバ装置において、前記決済情報が、前記ユーザの前記携帯端末装置から受信され、前記利用終了通知が、前記ユーザ識別情報または前記駐車場識別情報とともに受信され、前記決済情報を用いて、前記ユーザの前記駐車場の車室の利用料金を精算する決済処理が行われる。
本技術の第４の側面のプログラムは、駐車場の利用者であるユーザによって携帯される携帯端末装置のコンピュータを、前記ユーザが車両を所定の駐車場に駐車した際の利用料金を精算するための決済情報をサーバ装置に送信させる決済情報送信部と、前記ユーザの前記駐車場の利用開始を検出する利用開始検出部と、測位衛星からの測位信号に基づいて、前記ユーザの前記携帯端末装置の位置情報を検出する位置情報検出部と、前記駐車場の利用開始が検出された場合に、前記携帯端末装置の前記位置情報に基づいて、前記ユーザが前記車両を駐車させた前記駐車場および車室を特定し、特定した前記駐車場および車室を前記ユーザに確認する駐車場特定部と、特定された前記駐車場の車室の利用終了を検出し、前記ユーザを識別するユーザ識別情報または前記駐車場を識別する駐車場識別情報とともに、前記駐車場の車室の利用終了を示す利用終了通知を前記サーバ装置に送信させる利用終了検出部として機能させる。
本技術の第４の側面においては、ユーザが車両を所定の駐車場に駐車した際の利用料金を精算するための決済情報がサーバ装置に送信され、前記ユーザの前記駐車場の利用開始が検出され、測位衛星からの測位信号が受信されて、前記ユーザの携帯端末装置の位置情報が検出され、前記駐車場の利用開始が検出された場合に、前記携帯端末装置の前記位置情報に基づいて、前記ユーザが前記車両を駐車させた前記駐車場および車室が特定され、特定された前記駐車場および車室が前記ユーザに確認され、特定された前記駐車場の車室の利用終了が検出され、前記ユーザを識別するユーザ識別情報または前記駐車場を識別する駐車場識別情報とともに、前記駐車場の車室の利用終了を示す利用終了通知が前記サーバ装置に送信される。
【手続補正１１】
【補正対象書類名】明細書
【補正対象項目名】００１７
【補正方法】変更
【補正の内容】
【００１７】
本技術の第１乃至第４の側面によれば、利用するユーザが簡単に利用でき、かつ、不正利用を防止することができる。
【手続補正１２】
【補正対象書類名】明細書
【補正対象項目名】０１９１
【補正方法】変更
【補正の内容】
【０１９１】
上述した第２の利用登録処理では、駐車場を識別する駐車場識別情報としての駐車場IDと、駐車場内の車室を識別する車室識別情報としての車室IDを分けて考えたが、駐車場IDと車室IDを組み合わせた情報を、駐車場識別情報と考えてもよい。また、駐車場の車室単位で、ユーザが自動車を駐車させたか否かを判定したが、本技術は、車室単位で入出庫を制限するタイプの駐車場ではなく、駐車場の入口および出口にゲートが設置され、駐車場単位で入出庫を制限するタイプの駐車場にも適用できる。この場合、車室を識別する車室IDが省略される。